(57)【要約】【課題】従来の電気光学装置では、表示品位を向上させることが困難である。【解決手段】第１の画像を形成する第１の画素７1、及び第２の画像を形成する第２の画素７2を少なくとも含んでおり、表示面側に向けて光を射出する複数の画素と、複数の画素の表示面側に設けられており、第１の画素７1からの光を、表示面を介して第１の範囲に向けて射出し、第２の画素７2からの光を、表示面を介して第２の範囲に向けて射出する遮光膜１０３と、複数の画素の底面側に設けられており、第１の画素７1が第１の画像を形成しているときに、複数の画素に対して、複数の画素を介して前記第１の範囲に及ぶ光を照射し、第２の画素７2が第２の画像を形成しているときに、複数の画素に対して、複数の画素を介して前記第２の範囲に及ぶ光を照射する照明装置と、を有することを特徴とする電気光学装置。【選択図】図１７
2010026356.tif 000002
【特許請求の範囲】
【請求項１】
画像が視認され得る表示面と、
第１の画像を形成する第１の画素、及び第２の画像を形成する第２の画素を少なくとも含んでおり、前記表示面側に向けて光を射出する複数の画素と、
前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、
前記複数の画素の前記表示面側とは反対側に設けられており、前記第１の画素が前記第１の画像を形成しているときに、前記複数の画素に対して、前記複数の画素を介して前記第１の範囲に及ぶ光を照射し、前記第２の画素が前記第２の画像を形成しているときに、前記複数の画素に対して、前記複数の画素を介して前記第２の範囲に及ぶ光を照射する照明装置と、
を有することを特徴とする電気光学装置。
【請求項２】
前記光学素子は、前記光の進行を妨げる遮光膜で構成されており、
前記遮光膜には、前記第１の画素から前記表示面を介して前記第１の範囲に及ぶ前記光を通し、前記第２の画素から前記表示面を介して前記第２の範囲に及ぶ前記光を通す開口部が設けられていることを特徴とする請求項１に記載の電気光学装置。
【請求項３】
前記照明装置は、
前記複数の画素に向けて前記光を射出する光射出部と、
前記光射出部及び前記複数の画素の間に設けられており、且つ少なくとも第１シャッタ部及び第２シャッタ部を含んでおり、前記光射出部から前記複数の画素に向かう前記光を遮断する複数のシャッタ部と、
前記複数のシャッタ部及び前記複数の画素の間に設けられており、前記第１シャッタ部を通過した前記光を前記第１の範囲に向けて射出し、前記第２シャッタ部を通過した前記光を前記第２の範囲に向けて射出する第２光学素子と、
を有することを特徴とする請求項１又は２に記載の電気光学装置。
【請求項４】
前記複数のシャッタ部は、それぞれ、
電界を形成する一対の電極と、
前記電界によって駆動される液晶と、を有することを特徴とする請求項３に記載の電気光学装置。
【請求項５】
前記第２光学素子は、前記第１シャッタ部からの前記光を前記第１の範囲に向けて射出し、前記第２シャッタ部からの前記光を前記第２の範囲に向けて射出するレンズで構成されていることを特徴とする請求項３又は４に記載の電気光学装置。
【請求項６】
前記照明装置は、
少なくとも第１発光部及び第２発光部を含んでおり、前記複数の画素に向かう前記光を発する複数の発光部と、
前記複数の発光部及び前記複数の画素の間に設けられており、前記第１発光部からの前記光を前記第１の範囲に向けて射出し、前記第２発光部からの前記光を前記第２の範囲に向けて射出する第２光学素子と、
を有することを特徴とする請求項１又は２に記載の電気光学装置。
【請求項７】
前記第２光学素子は、前記第１発光部からの前記光を前記第１の範囲に向けて射出し、前記第２発光部からの前記光を前記第２の範囲に向けて射出するレンズで構成されていることを特徴とする請求項６に記載の電気光学装置。
【請求項８】
前記照明装置は、
前記第１の画素が前記第１の画像を形成しているときに点灯する第１光源と、
前記第１光源に対峙する位置に設けられており、前記第２の画素が前記第２の画像を形成しているときに点灯する第２光源と、
平面的に前記第１光源及び前記第２光源の間に介在し、且つ前記複数の画素に対向しており、前記第１光源及び前記第２光源のそれぞれから入射された光を前記複数の画素に向けて射出する光射出部と、
前記光射出部及び前記複数の画素の間に介在しており、前記第１光源からの前記光を前記第１の範囲に向けて射出し、前記第２光源からの前記光を前記第２の範囲に向けて射出する第２光学素子と、
を有することを特徴とする請求項１又は２に記載の電気光学装置。
【請求項９】
前記第２光学素子は、前記第１光源からの前記光を前記第１の範囲に向けて射出し、前記第２光源からの前記光を前記第２の範囲に向けて射出するプリズムで構成されていることを特徴とする請求項８に記載の電気光学装置。
【請求項１０】
画像が視認され得る表示面と、
第１の画像を形成する第１の画素、及び第２の画像を形成する第２の画素を少なくとも含んでおり、前記表示面側に向けて光を射出する複数の画素と、
各前記画素に対応して設けられており、電界を形成する一対の電極と、
前記電界によって前記画素ごとに駆動される液晶と、
前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、を有する電気光学装置で表示を行う表示方法であって、
前記第１の画素に前記第１の画像を形成させているときに、前記第２の画素に前記第２の画像の形成を休止させ、
前記第２の画素に前記第２の画像を形成させているときに、前記第１の画素に前記第１の画像の形成を休止させることを特徴とする表示方法。
【請求項１１】
前記第２の画素に前記第２の画像の形成を休止させるときに、前記第２の画素に前記光の射出を休止させ、
前記第１の画素に前記第１の画像の形成を休止させるときに、前記第１の画素に前記光の射出を休止させることを特徴とする請求項１０に記載の表示方法。
【請求項１２】
前記電界の形成が休止しているときに、各前記画素からの前記光の射出が休止されることを特徴とする請求項１１に記載の表示方法。
【請求項１３】
画像が視認され得る表示面と、
第１の画像を形成する第１の画素、及び第２の画像を形成する第２の画素を少なくとも含んでおり、前記表示面側に向けて光を射出する複数の画素と、
前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、を有する電気光学装置で表示を行う表示方法であって、
前記第１の画素に前記第１の画像を形成させているときに、前記第２の画素に前記第２の画像の形成を休止させ、且つ前記複数の画素を介して前記第１の範囲に及ぶ光を照射し、
前記第２の画素に前記第２の画像を形成させているときに、前記第１の画素に前記第１の画像の形成を休止させ、且つ前記複数の画素を介して前記第２の範囲に及ぶ光を照射することを特徴とする表示方法。
【請求項１４】
前記第２の画素に前記第２の画像の形成を休止させるときに、前記第２の画素に前記光の射出を休止させ、
前記第１の画素に前記第１の画像の形成を休止させるときに、前記第１の画素に前記光の射出を休止させることを特徴とする請求項１３に記載の表示方法。
【請求項１５】
前記複数の画素は、それぞれ、電界を形成する一対の電極と、前記電界によって駆動される液晶と、を有しており、
前記電界の形成が休止しているときに、各前記画素からの前記光の射出が休止されることを特徴とする請求項１４に記載の表示方法。
【請求項１６】
画像が視認され得る表示面と、
第１の画像を形成する第１の画素、及び第２の画像を形成する第２の画素を少なくとも含んでおり、前記表示面側に向けて光を射出する複数の画素と、
前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、
前記複数の画素の前記表示面側とは反対側に設けられており、前記複数の画素に向けて前記光を射出する光射出部と、
前記光射出部及び前記複数の画素の間に設けられており、且つ少なくとも第１シャッタ部及び第２シャッタ部を含んでおり、前記光射出部から前記複数の画素に向かう前記光を遮断する複数のシャッタ部と、
前記複数のシャッタ部及び前記複数の画素の間に設けられており、前記第１シャッタ部を通過した前記光を前記第１の範囲に向けて射出し、前記第２シャッタ部を通過した前記光を前記第２の範囲に向けて射出する第２光学素子と、を有する電気光学装置の駆動方法であって、
前記第１の画素に前記第１の画像を形成させ、且つ前記第２の画素に前記第２の画像の形成を休止させているときに、前記第１シャッタ部を通過状態とし、且つ前記第２シャッタ部を遮断状態とし、
前記第２の画素に前記第２の画像を形成させ、且つ前記第１の画素に前記第１の画像の形成を休止させているときに、前記第２シャッタ部を通過状態とし、且つ前記第１シャッタ部を遮断状態とすることを特徴とする電気光学装置の駆動方法。
【請求項１７】
画像が視認され得る表示面と、
第１の画像を形成する第１の画素、及び第２の画像を形成する第２の画素を少なくとも含んでおり、前記表示面側に向けて光を射出する複数の画素と、
前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、
前記複数の画素の前記表示面側とは反対側に設けられており、且つ少なくとも第１発光部及び第２発光部を含んでおり、前記複数の画素に向かう前記光を発する複数の発光部と、
前記複数の発光部及び前記複数の画素の間に設けられており、前記第１発光部からの前記光を前記第１の範囲に向けて射出し、前記第２発光部からの前記光を前記第２の範囲に向けて射出する第２光学素子と、を有する電気光学装置の駆動方法であって、
前記第１の画素に前記第１の画像を形成させ、且つ前記第２の画素に前記第２の画像の形成を休止させているときに、前記第１発光部を発光状態とし、且つ前記第２発光部を消灯状態とし、
前記第２の画素に前記第２の画像を形成させ、且つ前記第１の画素に前記第１の画像の形成を休止させているときに、前記第２発光部を発光状態とし、且つ前記第１発光部を消灯状態とすることを特徴とする電気光学装置の駆動方法。
【請求項１８】
画像が視認され得る表示面と、
第１の画像を形成する第１の画素、及び第２の画像を形成する第２の画素を少なくとも含んでおり、前記表示面側に向けて光を射出する複数の画素と、
前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、
前記複数の画素の前記表示面側とは反対側に設けられた第１光源と、
前記第１光源に平面的に対峙する位置に設けられた第２光源と、
平面的に前記第１光源及び前記第２光源の間に介在し、且つ前記複数の画素に対向しており、前記第１光源及び前記第２光源のそれぞれから入射された光を前記複数の画素に向けて射出する光射出部と、
前記光射出部及び前記複数の画素の間に介在しており、前記第１光源からの前記光を前記第１の範囲に向けて射出し、前記第２光源からの前記光を前記第２の範囲に向けて射出する第２光学素子と、を有する電気光学装置の駆動方法であって、
前記第１の画素に前記第１の画像を形成させ、且つ前記第２の画素に前記第２の画像の形成を休止させているときに、前記第１光源を点灯状態とし、且つ前記第２光源を消灯状態とし、
前記第２の画素に前記第２の画像を形成させ、且つ前記第１の画素に前記第１の画像の形成を休止させているときに、前記第２光源を点灯状態とし、且つ前記第１光源を消灯状態とすることを特徴とする電気光学装置の駆動方法。
【請求項１９】
請求項１乃至９のいずれか一項に記載の電気光学装置を表示部として有することを特徴とする電子機器。
【発明の詳細な説明】
【技術分野】
【０００１】
本発明は、電気光学装置、表示方法、電気光学装置の駆動方法及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、互いに異なる画像を表示することができるものがある（例えば、特許文献１参照）。
【０００３】
【特許文献１】特開２００８−６４９１８号公報
【発明の開示】
【発明が解決しようとする課題】
【０００４】
ところで、複数の画素がマトリクス状に設定されている表示装置でマトリクス表示を行うと、複数の画素が相互に電気的な干渉を受けて表示品位が低下するクロストーク現象が発生することがある。
指向性表示において上記のクロストーク現象が発生すると、いずれの視方向にも同じ画像だけを表示する表示装置に比較して、表示品位の低下が視認されやすい。指向性表示では、異なる画像同士が干渉し合うためである。
このように、従来の電気光学装置では、表示品位を向上させることが困難であるという課題がある。
【課題を解決するための手段】
【０００５】
本発明は、上述の課題の少なくとも一部を解決するためになされたものであり、以下の形態又は適用例として実現され得る。
【０００６】
［適用例１］画像が視認され得る表示面と、第１の画像を形成する第１の画素、及び第２の画像を形成する第２の画素を少なくとも含んでおり、前記表示面側に向けて光を射出する複数の画素と、前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、前記複数の画素の前記表示面側とは反対側に設けられており、前記第１の画素が前記第１の画像を形成しているときに、前記複数の画素に対して、前記複数の画素を介して前記第１の範囲に及ぶ光を照射し、前記第２の画素が前記第２の画像を形成しているときに、前記複数の画素に対して、前記複数の画素を介して前記第２の範囲に及ぶ光を照射する照明装置と、を有することを特徴とする電気光学装置。
【０００７】
適用例１の電気光学装置は、表示面と、複数の画素と、光学素子と、照明装置と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【０００８】
この電気光学装置では、複数の画素の表示面側とは反対側に照明装置が設けられている。照明装置は、第１の画素が第１の画像を形成しているときに複数の画素に、複数の画素を介して第１の範囲に及ぶ光を照射する。また、照明装置は、第２の画素が第２の画像を形成しているときに複数の画素に、複数の画素を介して第２の範囲に及ぶ光を照射する。
この構成によれば、例えば、第１の画素が第１の画像を形成していて第２の画素が第２の画像の形成を休止しているときに、第２の範囲に及ぶ光を低く抑えやすくすることができる。このため、第２の範囲に照明装置からの光が届きにくいので、第２の範囲からは、表示が視認されにくい。
また、この構成によれば、例えば、第２の画素が第２の画像を形成していて第１の画素が第１の画像の形成を休止しているときに、第１の範囲に及ぶ光を低く抑えやすくすることができる。このため、第１の範囲に照明装置からの光が届きにくいので、第１の範囲からは、表示が視認されにくい。
【０００９】
この結果、複数の画素が相互に電気的な干渉を受けても、表示品位の低下を視認しにくくすることができる。これにより、指向性表示における表示品位を向上させやすくすることができる。
【００１０】
［適用例２］上記の電気光学装置であって、前記光学素子は、前記光の進行を妨げる遮光膜で構成されており、前記遮光膜には、前記第１の画素から前記表示面を介して前記第１の範囲に及ぶ前記光を通し、前記第２の画素から前記表示面を介して前記第２の範囲に及ぶ前記光を通す開口部が設けられていることを特徴とする電気光学装置。
【００１１】
適用例２では、光学素子が、光の進行を妨げる遮光膜で構成されている。遮光膜には、開口部が設けられている。開口部は、第１の画素から表示面を介して第１の範囲に及ぶ光を通し、第２の画素から表示面を介して第２の範囲に及ぶ光を通す。この構成により、第１の範囲からは、第１の画像が視認され、第２の範囲からは、第２の画像が視認され得る。
【００１２】
［適用例３］上記の電気光学装置であって、前記照明装置は、前記複数の画素に向けて前記光を射出する光射出部と、前記光射出部及び前記複数の画素の間に設けられており、且つ少なくとも第１シャッタ部及び第２シャッタ部を含んでおり、前記光射出部から前記複数の画素に向かう前記光を遮断する複数のシャッタ部と、前記複数のシャッタ部及び前記複数の画素の間に設けられており、前記第１シャッタ部を通過した前記光を前記第１の範囲に向けて射出し、前記第２シャッタ部を通過した前記光を前記第２の範囲に向けて射出する第２光学素子と、を有することを特徴とする電気光学装置。
【００１３】
適用例３では、照明装置が、光射出部と、複数のシャッタ部と、第２光学素子と、を有している。光射出部は、複数の画素に向けて光を射出する。複数のシャッタ部は、光射出部及び複数の画素の間に設けられている。複数のシャッタ部は、光射出部から複数の画素に向かう光を遮断する。複数のシャッタ部には、少なくとも第１シャッタ部及び第２シャッタ部が含まれている。第２光学素子は、複数のシャッタ部及び複数の画素の間に設けられている。第２光学素子は、第１シャッタ部を通過した光を第１の範囲に向けて射出し、第２シャッタ部を通過した光を第２の範囲に向けて射出する。
この構成により、第１シャッタ部及び第２シャッタ部をそれぞれ個別に制御することにより、複数の画素に第１の範囲に及ぶ光と第２の範囲に及ぶ光とを個別に照射することができる。
【００１４】
［適用例４］上記の電気光学装置であって、前記複数のシャッタ部は、それぞれ、電界を形成する一対の電極と、前記電界によって駆動される液晶と、を有することを特徴とする電気光学装置。
【００１５】
適用例４では、複数のシャッタ部が、それぞれ、電界を形成する一対の電極と、電界によって駆動される液晶と、を有している。この構成により、シャッタ部ごとに液晶の駆動を制御することにより、シャッタ部ごとに光を通過させたり、遮断させたりすることができる。
【００１６】
［適用例５］上記の電気光学装置であって、前記第２光学素子は、前記第１シャッタ部からの前記光を前記第１の範囲に向けて射出し、前記第２シャッタ部からの前記光を前記第２の範囲に向けて射出するレンズで構成されていることを特徴とする電気光学装置。
【００１７】
適用例５では、第２光学素子が、第１シャッタ部からの光を第１の範囲に向けて射出し、第２シャッタ部からの光を第２の範囲に向けて射出するレンズで構成されている。この構成により、第１シャッタ部からの光を第１の範囲に向けて照射し、第２シャッタ部からの光を第２の範囲に向けて照射することができる。
【００１８】
［適用例６］上記の電気光学装置であって、前記照明装置は、少なくとも第１発光部及び第２発光部を含んでおり、前記複数の画素に向かう前記光を発する複数の発光部と、前記複数の発光部及び前記複数の画素の間に設けられており、前記第１発光部からの前記光を前記第１の範囲に向けて射出し、前記第２発光部からの前記光を前記第２の範囲に向けて射出する第２光学素子と、を有することを特徴とする電気光学装置。
【００１９】
適用例６では、照明装置が、複数の発光部と、第２光学素子と、を有している。複数の発光部は、複数の画素に向かう光を発する。複数の発光部には、少なくとも第１発光部及び第２発光部が含まれている。第２光学素子は、複数の発光部及び複数の画素の間に設けられている。第２光学素子は、第１発光部からの光を第１の範囲に向けて射出し、第２発光部からの光を第２の範囲に向けて射出する。
この構成により、第１発光部及び第２発光部をそれぞれ個別に制御することにより、複数の画素に第１の範囲に及ぶ光と第２の範囲に及ぶ光とを個別に照射することができる。
【００２０】
［適用例７］上記の電気光学装置であって、前記第２光学素子は、前記第１発光部からの前記光を前記第１の範囲に向けて射出し、前記第２発光部からの前記光を前記第２の範囲に向けて射出するレンズで構成されていることを特徴とする電気光学装置。
【００２１】
適用例７では、第２光学素子が、第１発光部からの光を第１の範囲に向けて射出し、第２発光部からの光を第２の範囲に向けて射出するレンズで構成されている。この構成により、第１発光部からの光を第１の範囲に向けて照射し、第２発光部からの光を第２の範囲に向けて照射することができる。
【００２２】
［適用例８］上記の電気光学装置であって、前記照明装置は、前記第１の画素が前記第１の画像を形成しているときに点灯する第１光源と、前記第１光源に対峙する位置に設けられており、前記第２の画素が前記第２の画像を形成しているときに点灯する第２光源と、平面的に前記第１光源及び前記第２光源の間に介在し、且つ前記複数の画素に対向しており、前記第１光源及び前記第２光源のそれぞれから入射された光を前記複数の画素に向けて射出する光射出部と、前記光射出部及び前記複数の画素の間に介在しており、前記第１光源からの前記光を前記第１の範囲に向けて射出し、前記第２光源からの前記光を前記第２の範囲に向けて射出する第２光学素子と、を有することを特徴とする電気光学装置。
【００２３】
適用例８では、照明装置が、第１光源と、第２光源と、光射出部と、第２光学素子と、を有している。第１光源は、第１の画素が第１の画像を形成しているときに点灯する。第２光源は、第１光源に対峙する位置に設けられている。つまり、第１光源と第２光源とは、互いに対峙している。第２光源は、第２の画素が第２の画像を形成しているときに点灯する。光射出部は、平面的に第１光源及び第２光源の間に介在している。光射出部は、複数の画素に対向しており、第１光源及び第２光源のそれぞれから入射された光を複数の画素に向けて射出する。第２光学素子は、光射出部及び複数の画素の間に介在している。第２光学素子は、第１光源からの光を第１の範囲に向けて射出し、第２光源からの光を第２の範囲に向けて射出する。
この構成により、第１光源及び第２光源をそれぞれ個別に制御することにより、複数の画素に第１の範囲に及ぶ光と第２の範囲に及ぶ光とを個別に照射することができる。
【００２４】
［適用例９］上記の電気光学装置であって、前記第２光学素子は、前記第１光源からの前記光を前記第１の範囲に向けて射出し、前記第２光源からの前記光を前記第２の範囲に向けて射出するプリズムで構成されていることを特徴とする電気光学装置。
【００２５】
適用例９では、第２光学素子が、第１光源からの光を第１の範囲に向けて射出し、第２光源からの光を第２の範囲に向けて射出するプリズムで構成されている。この構成により、第１光源からの光を第１の範囲に向けて照射し、第２光源からの光を第２の範囲に向けて照射しやすくすることができる。
【００２６】
［適用例１０］画像が視認され得る表示面と、第１の画像を形成する第１の画素、及び第２の画像を形成する第２の画素を少なくとも含んでおり、前記表示面側に向けて光を射出する複数の画素と、各前記画素に対応して設けられており、電界を形成する一対の電極と、前記電界によって前記画素ごとに駆動される液晶と、前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、を有する電気光学装置で表示を行う表示方法であって、前記第１の画素に前記第１の画像を形成させているときに、前記第２の画素に前記第２の画像の形成を休止させ、前記第２の画素に前記第２の画像を形成させているときに、前記第１の画素に前記第１の画像の形成を休止させることを特徴とする表示方法。
【００２７】
適用例１０の表示方法が適用され得る電気光学装置は、表示面と、複数の画素と、一対の電極と、液晶と、光学素子と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。
一対の電極は、各画素に対応して設けられている。一対の電極は、電界を形成する。液晶は、電界によって画素ごとに駆動される。
光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【００２８】
適用例１０の表示方法では、第１の画素に第１の画像を形成させているときに、第２の画素に第２の画像の形成を休止させる。また、この表示方法では、第２の画素に第２の画像を形成させているときに、第１の画素に第１の画像の形成を休止させる。
この表示方法によれば、第１の画素に第１の画像を形成させているときに、第２の画像の形成が休止されるので、第２の範囲から画像を視認しにくくすることができる。
また、この表示方法によれば、第２の画素に第２の画像を形成させているときに、第１の画像の形成が休止されるので、第１の範囲から画像を視認しにくくすることができる。
【００２９】
この結果、複数の画素が相互に電気的な干渉を受けても、表示品位の低下を視認しにくくすることができる。これにより、指向性表示における表示品位を向上させやすくすることができる。
【００３０】
［適用例１１］上記の表示方法であって、前記第２の画素に前記第２の画像の形成を休止させるときに、前記第２の画素に前記光の射出を休止させ、前記第１の画素に前記第１の画像の形成を休止させるときに、前記第１の画素に前記光の射出を休止させることを特徴とする表示方法。
【００３１】
適用例１１では、第２の画素に第２の画像の形成を休止させるときに、第２の画素に光の射出を休止させる。これにより、第２の画素に黒表示をさせることができる。
また、この表示方法では、第１の画素に第１の画像の形成を休止させるときに、第１の画素に光の射出を休止させる。これにより、第１の画素に黒表示をさせることができる。
なお、黒表示とは、画素からの光の射出が低く抑えられた状態をいう。
この表示方法によれば、例えば、第１の画像の形成と第２の画像の形成とを交互に行うときに、第１の画像同士の間と、第２の画像同士の間とのそれぞれにおいて、画像形成の休止を目立ちにくくすることができる。
【００３２】
［適用例１２］上記の表示方法であって、前記電界の形成が休止しているときに、各前記画素からの前記光の射出が休止されることを特徴とする表示方法。
【００３３】
適用例１２では、電界の形成が休止しているときに、各画素からの光の射出が休止される。
これによれば、第２の画素に対応する一対の電極への給電を停止することにより、第２の画素に第２の画像の形成を休止させることができる。この結果、第２の画素における電力の消費を軽減することができる。
また、第１の画素に対応する一対の電極への給電を停止することにより、第１の画素に第１の画像の形成を休止させることができる。この結果、第１の画素における電力の消費を軽減することができる。
【００３４】
［適用例１３］画像が視認され得る表示面と、第１の画像を形成する第１の画素、及び第２の画像を形成する第２の画素を少なくとも含んでおり、前記表示面側に向けて光を射出する複数の画素と、前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、を有する電気光学装置で表示を行う表示方法であって、前記第１の画素に前記第１の画像を形成させているときに、前記第２の画素に前記第２の画像の形成を休止させ、且つ前記複数の画素を介して前記第１の範囲に及ぶ光を照射し、前記第２の画素に前記第２の画像を形成させているときに、前記第１の画素に前記第１の画像の形成を休止させ、且つ前記複数の画素を介して前記第２の範囲に及ぶ光を照射することを特徴とする表示方法。
【００３５】
適用例１３の表示方法が適用され得る電気光学装置は、表示面と、複数の画素と、光学素子と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【００３６】
適用例１３の表示方法では、第１の画素に第１の画像を形成させているときに、第２の画素に第２の画像の形成を休止させ、且つ複数の画素を介して第１の範囲に及ぶ光を照射する。また、この表示方法では、第２の画素に第２の画像を形成させているときに、第１の画素に第１の画像の形成を休止させ、且つ複数の画素を介して第２の範囲に及ぶ光を照射する。
この表示方法によれば、第１の画素に第１の画像を形成させているときに、第２の範囲に及ぶ光を低く抑えやすくすることができる。このため、第２の範囲に照明装置からの光が届きにくいので、第２の範囲からは、表示が視認されにくい。
また、この表示方法によれば、第２の画素に第２の画像を形成させているときに、第１の範囲に及ぶ光を低く抑えやすくすることができる。このため、第１の範囲に照明装置からの光が届きにくいので、第１の範囲からは、表示が視認されにくい。
【００３７】
この結果、複数の画素が相互に電気的な干渉を受けても、表示品位の低下を視認しにくくすることができる。これにより、指向性表示における表示品位を向上させやすくすることができる。
【００３８】
［適用例１４］上記の表示方法であって、前記第２の画素に前記第２の画像の形成を休止させるときに、前記第２の画素に前記光の射出を休止させ、前記第１の画素に前記第１の画像の形成を休止させるときに、前記第１の画素に前記光の射出を休止させることを特徴とする表示方法。
【００３９】
適用例１４では、第２の画素に第２の画像の形成を休止させるときに、第２の画素に光の射出を休止させる。これにより、第２の画素に黒表示をさせることができる。
また、この表示方法では、第１の画素に第１の画像の形成を休止させるときに、第１の画素に光の射出を休止させる。これにより、第１の画素に黒表示をさせることができる。
なお、黒表示とは、画素からの光の射出が低く抑えられた状態をいう。
この表示方法によれば、例えば、第１の画像の形成と第２の画像の形成とを交互に行うときに、第１の画像同士の間と、第２の画像同士の間とのそれぞれにおいて、画像形成の休止を目立ちにくくすることができる。
【００４０】
［適用例１５］上記の表示方法であって、前記複数の画素は、それぞれ、電界を形成する一対の電極と、前記電界によって駆動される液晶と、を有しており、前記電界の形成が休止しているときに、各前記画素からの前記光の射出が休止されることを特徴とする表示方法。
【００４１】
適用例１５の表示方法が適用され得る電気光学装置では、複数の画素が、それぞれ、電界を形成する一対の電極と、電界によって駆動される液晶と、を有している。そして、電界の形成が休止しているときに、各画素からの光の射出が休止される。
これによれば、第２の画素に対応する一対の電極への給電を停止することにより、第２の画素に第２の画像の形成を休止させることができる。この結果、第２の画素における電力の消費を軽減することができる。
また、第１の画素に対応する一対の電極への給電を停止することにより、第１の画素に第１の画像の形成を休止させることができる。この結果、第１の画素における電力の消費を軽減することができる。
【００４２】
［適用例１６］画像が視認され得る表示面と、第１の画像を形成する第１の画素、及び第２の画像を形成する第２の画素を少なくとも含んでおり、前記表示面側に向けて光を射出する複数の画素と、前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、前記複数の画素の前記表示面側とは反対側に設けられており、前記複数の画素に向けて前記光を射出する光射出部と、前記光射出部及び前記複数の画素の間に設けられており、且つ少なくとも第１シャッタ部及び第２シャッタ部を含んでおり、前記光射出部から前記複数の画素に向かう前記光を遮断する複数のシャッタ部と、前記複数のシャッタ部及び前記複数の画素の間に設けられており、前記第１シャッタ部を通過した前記光を前記第１の範囲に向けて射出し、前記第２シャッタ部を通過した前記光を前記第２の範囲に向けて射出する第２光学素子と、を有する電気光学装置の駆動方法であって、前記第１の画素に前記第１の画像を形成させ、且つ前記第２の画素に前記第２の画像の形成を休止させているときに、前記第１シャッタ部を通過状態とし、且つ前記第２シャッタ部を遮断状態とし、前記第２の画素に前記第２の画像を形成させ、且つ前記第１の画素に前記第１の画像の形成を休止させているときに、前記第２シャッタ部を通過状態とし、且つ前記第１シャッタ部を遮断状態とすることを特徴とする電気光学装置の駆動方法。
【００４３】
適用例１６の駆動方法が適用され得る電気光学装置は、表示面と、複数の画素と、光学素子と、光射出部と、複数のシャッタ部と、第２光学素子と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【００４４】
この電気光学装置では、複数の画素の表示面側とは反対側に光射出部が設けられている。光射出部及び複数の画素の間には、複数のシャッタ部が設けられている。複数のシャッタ部及び複数の画素の間には、第２光学素子が設けられている。
光射出部は、複数の画素に向けて光を射出する。
複数のシャッタ部は、光射出部から複数の画素に向かう光を遮断する。複数のシャッタ部には、少なくとも第１シャッタ部及び第２シャッタ部が含まれている。
第２光学素子は、第１シャッタ部を通過した光を第１の範囲に向けて射出し、第２シャッタ部を通過した光を第２の範囲に向けて射出する。
【００４５】
適用例１６の駆動方法では、第１の画素に第１の画像を形成させ、且つ第２の画素に第２の画像の形成を休止させているときに、第１シャッタ部を通過状態とし、且つ第２シャッタ部を遮断状態とする。
また、この駆動方法では、第２の画素に第２の画像を形成させ、且つ第１の画素に第１の画像の形成を休止させているときに、第２シャッタ部を通過状態とし、且つ第１シャッタ部を遮断状態とする。
この駆動方法によれば、第１の画素が第１の画像を形成していて第２の画素が第２の画像の形成を休止しているときに、第２の範囲に及ぶ光を低く抑えやすくすることができる。このため、第２の範囲に光射出部からの光が届きにくいので、第２の範囲からは、表示が視認されにくい。
また、この駆動方法によれば、第２の画素が第２の画像を形成していて第１の画素が第１の画像の形成を休止しているときに、第１の範囲に及ぶ光を低く抑えやすくすることができる。このため、第１の範囲に光射出部からの光が届きにくいので、第１の範囲からは、表示が視認されにくい。
【００４６】
この結果、複数の画素が相互に電気的な干渉を受けても、表示品位の低下を視認しにくくすることができる。これにより、指向性表示における表示品位を向上させやすくすることができる。
【００４７】
［適用例１７］画像が視認され得る表示面と、第１の画像を形成する第１の画素、及び第２の画像を形成する第２の画素を少なくとも含んでおり、前記表示面側に向けて光を射出する複数の画素と、前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、前記複数の画素の前記表示面側とは反対側に設けられており、且つ少なくとも第１発光部及び第２発光部を含んでおり、前記複数の画素に向かう前記光を発する複数の発光部と、前記複数の発光部及び前記複数の画素の間に設けられており、前記第１発光部からの前記光を前記第１の範囲に向けて射出し、前記第２発光部からの前記光を前記第２の範囲に向けて射出する第２光学素子と、を有する電気光学装置の駆動方法であって、前記第１の画素に前記第１の画像を形成させ、且つ前記第２の画素に前記第２の画像の形成を休止させているときに、前記第１発光部を発光状態とし、且つ前記第２発光部を消灯状態とし、前記第２の画素に前記第２の画像を形成させ、且つ前記第１の画素に前記第１の画像の形成を休止させているときに、前記第２発光部を発光状態とし、且つ前記第１発光部を消灯状態とすることを特徴とする電気光学装置の駆動方法。
【００４８】
適用例１７の駆動方法が適用され得る電気光学装置は、表示面と、複数の画素と、光学素子と、複数の発光部と、第２光学素子と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【００４９】
この電気光学装置では、複数の画素の表示面側とは反対側に複数の発光部が設けられている。複数の発光部及び複数の画素の間には、第２光学素子が設けられている。
複数の発光部は、複数の画素に向かう光を発する。複数の発光部には、少なくとも第１発光部及び第２発光部が含まれている。
第２光学素子は、第１発光部からの光を第１の範囲に向けて射出し、第２発光部からの光を第２の範囲に向けて射出する。
【００５０】
適用例１７の駆動方法では、第１の画素に第１の画像を形成させ、且つ第２の画素に第２の画像の形成を休止させているときに、第１発光部を発光状態とし、且つ第２発光部を消灯状態とする。
また、この駆動方法では、第２の画素に第２の画像を形成させ、且つ第１の画素に第１の画像の形成を休止させているときに、第２発光部を発光状態とし、且つ第１発光部を消灯状態とする。
この駆動方法によれば、第１の画素が第１の画像を形成していて第２の画素が第２の画像の形成を休止しているときに、第２の範囲に及ぶ光を低く抑えやすくすることができる。このため、第２の範囲に複数の発光部からの光が届きにくいので、第２の範囲からは、表示が視認されにくい。
また、この駆動方法によれば、第２の画素が第２の画像を形成していて第１の画素が第１の画像の形成を休止しているときに、第１の範囲に及ぶ光を低く抑えやすくすることができる。このため、第１の範囲に複数の発光部からの光が届きにくいので、第１の範囲からは、表示が視認されにくい。
【００５１】
この結果、複数の画素が相互に電気的な干渉を受けても、表示品位の低下を視認しにくくすることができる。これにより、指向性表示における表示品位を向上させやすくすることができる。
【００５２】
［適用例１８］画像が視認され得る表示面と、第１の画像を形成する第１の画素、及び第２の画像を形成する第２の画素を少なくとも含んでおり、前記表示面側に向けて光を射出する複数の画素と、前記複数の画素の前記表示面側に設けられており、前記第１の画素からの前記光を、前記表示面を介して第１の範囲に向けて射出し、前記第２の画素からの前記光を、前記表示面を介して第２の範囲に向けて射出する光学素子と、前記複数の画素の前記表示面側とは反対側に設けられた第１光源と、前記第１光源に平面的に対峙する位置に設けられた第２光源と、平面的に前記第１光源及び前記第２光源の間に介在し、且つ前記複数の画素に対向しており、前記第１光源及び前記第２光源のそれぞれから入射された光を前記複数の画素に向けて射出する光射出部と、前記光射出部及び前記複数の画素の間に介在しており、前記第１光源からの前記光を前記第１の範囲に向けて射出し、前記第２光源からの前記光を前記第２の範囲に向けて射出する第２光学素子と、を有する電気光学装置の駆動方法であって、前記第１の画素に前記第１の画像を形成させ、且つ前記第２の画素に前記第２の画像の形成を休止させているときに、前記第１光源を点灯状態とし、且つ前記第２光源を消灯状態とし、前記第２の画素に前記第２の画像を形成させ、且つ前記第１の画素に前記第１の画像の形成を休止させているときに、前記第２光源を点灯状態とし、且つ前記第１光源を消灯状態とすることを特徴とする電気光学装置の駆動方法。
【００５３】
適用例１８の駆動方法が適用され得る電気光学装置は、表示面と、複数の画素と、光学素子と、第１光源と、第２光源と、光射出部と、第２光学素子と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【００５４】
この電気光学装置では、複数の画素の表示面側とは反対側に第１光源が設けられている。第１光源に平面的に対峙する位置には、第２光源が設けられている。平面的に第１光源及び第２光源の間において、複数の画素に対向する位置には、光射出部が設けられている。光射出部及び複数の画素の間には、第２光学素子が設けられている。第２光学素子は、第１光源からの光を第１の範囲に向けて射出し、第２光源からの光を第２の範囲に向けて射出する。
【００５５】
適用例１８の駆動方法では、第１の画素に第１の画像を形成させ、且つ第２の画素に第２の画像の形成を休止させているときに、第１光源を点灯状態とし、且つ第２光源を消灯状態とする。
また、この駆動方法では、第２の画素に第２の画像を形成させ、且つ第１の画素に第１の画像の形成を休止させているときに、第２光源を点灯状態とし、且つ第１光源を消灯状態とする。
この駆動方法によれば、第１の画素が第１の画像を形成していて第２の画素が第２の画像の形成を休止しているときに、第２の範囲に及ぶ光を低く抑えやすくすることができる。このため、第２の範囲に光射出部からの光が届きにくいので、第２の範囲からは、表示が視認されにくい。
また、この駆動方法によれば、第２の画素が第２の画像を形成していて第１の画素が第１の画像の形成を休止しているときに、第１の範囲に及ぶ光を低く抑えやすくすることができる。このため、第１の範囲に光射出部からの光が届きにくいので、第１の範囲からは、表示が視認されにくい。
【００５６】
この結果、複数の画素が相互に電気的な干渉を受けても、表示品位の低下を視認しにくくすることができる。これにより、指向性表示における表示品位を向上させやすくすることができる。
【００５７】
［適用例１９］上記の電気光学装置を表示部として有することを特徴とする電子機器。
【００５８】
適用例１９の電子機器は、表示部としての電気光学装置が、表示面と、複数の画素と、光学素子と、照明装置と、を有している。複数の画素は、表示面側に向けて光を射出する。複数の画素には、少なくとも第１の画素及び第２の画素が含まれている。第１の画素は、第１の画像を形成する。第２の画素は、第２の画像を形成する。光学素子は、複数の画素の表示面側に設けられている。光学素子は、第１の画素からの光を、表示面を介して第１の範囲に向けて射出し、第２の画素からの光を、表示面を介して第２の範囲に向けて射出する。この構成により、第１の範囲からは、第１の画素によって形成される第１の画像が視認され、第２の範囲からは、第２の画素によって形成される第２の画像が視認され得る。つまり、この電気光学装置では、少なくとも２つの方向に指向性表示を行うことができる。
【００５９】
この電気光学装置では、複数の画素の表示面側とは反対側に照明装置が設けられている。照明装置は、第１の画素が第１の画像を形成しているときに複数の画素に、複数の画素を介して第１の範囲に及ぶ光を照射する。また、照明装置は、第２の画素が第２の画像を形成しているときに複数の画素に、複数の画素を介して第２の範囲に及ぶ光を照射する。
この構成によれば、例えば、第１の画素が第１の画像を形成していて第２の画素が第２の画像の形成を休止しているときに、第２の範囲に及ぶ光を低く抑えやすくすることができる。このため、第２の範囲に照明装置からの光が届きにくいので、第２の範囲からは、表示が視認されにくい。
また、この構成によれば、例えば、第２の画素が第２の画像を形成していて第１の画素が第１の画像の形成を休止しているときに、第１の範囲に及ぶ光を低く抑えやすくすることができる。このため、第１の範囲に照明装置からの光が届きにくいので、第１の範囲からは、表示が視認されにくい。
【００６０】
この結果、この電気光学装置では、複数の画素が相互に電気的な干渉を受けても、表示品位の低下を視認しにくくすることができる。これにより、指向性表示における表示品位を向上させやすくすることができる。
そして、適用例１９の電子機器では、この電気光学装置が表示部に適用されているので、指向性表示における表示品位を向上させやすくすることができる。
【発明を実施するための最良の形態】
【００６１】
実施形態について、電気光学装置の１つである液晶装置を利用した表示装置を例に、図面を参照しながら説明する。
第１実施形態における表示装置１は、図１に示すように、表示パネル３と、照明装置５と、制御部６とを有している。
【００６２】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。表示装置１は、照明装置５から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００６３】
表示パネル３は、図１中のＡ−Ａ線における断面図である図２に示すように、液晶パネル１１と、バリア基板１３と、偏光板３９ｂと、偏光板３９ｃと、を有している。
液晶パネル１１は、駆動素子基板２１と、対向基板２３と、液晶２５とを有している。
駆動素子基板２１には、表示面９側すなわち液晶２５側に、複数の画素７のそれぞれに対応して、後述するスイッチング素子などが設けられている。
【００６４】
対向基板２３は、駆動素子基板２１よりも表示面９側で駆動素子基板２１に対向し、且つ駆動素子基板２１との間に隙間を有した状態で設けられている。対向基板２３には、表示装置１における表示面９の裏面に相当する面である底面２７側すなわち液晶２５側に、後述する対向電極などが設けられている。
【００６５】
液晶２５は、駆動素子基板２１及び対向基板２３の間に介在しており、表示パネル３の周縁よりも内側で表示領域８を囲むシール材２９によって、駆動素子基板２１及び対向基板２３の間に封止されている。なお、本実施形態では、液晶２５として、ＴＮ（Twisted Nematic）型が採用されている。
【００６６】
バリア基板１３は、対向基板２３よりも表示面９側で対向基板２３に対向した状態で設けられている。
偏光板３９ｂは、駆動素子基板２１よりも底面２７側に設けられている。偏光板３９ｃは、バリア基板１３よりも表示面９側に設けられている。なお、偏光板３９ｃが対向基板２３とバリア基板１３との間に介在した構成も採用され得る。
【００６７】
照明装置５は、表示パネル３よりも底面２７側に設けられており、方向制御パネル１５と、導光板４１と、光源４３とを有している。
方向制御パネル１５は、表示パネル３よりも底面２７側に設けられており、シャッタパネル１７と、レンズアレイ基板１８と、偏光板３９ａと、を有している。方向制御パネル１５は、光源４３から導光板４１を介して表示パネル３に照射される光の方向を制御する。
【００６８】
シャッタパネル１７は、シャッタ電極基板３１と、対向基板３３と、液晶３５とを有している。
シャッタ電極基板３１は、対向基板３３よりも底面２７側で対向基板３３に対向している。シャッタ電極基板３１には、表示面９側すなわち液晶３５側に、後述するシャッタ電極などが設けられている。
対向基板３３は、シャッタ電極基板３１よりも表示面９側でシャッタ電極基板３１に対向し、且つシャッタ電極基板３１との間に隙間を有した状態で設けられている。対向基板３３には、底面２７側すなわち液晶３５側に、後述する共通電極などが設けられている。
【００６９】
液晶３５は、シャッタ電極基板３１及び対向基板３３の間に介在しており、シャッタパネル１７の周縁よりも内側で表示領域８を囲むシール材３７によって、シャッタ電極基板３１及び対向基板３３の間に封止されている。なお、本実施形態では、液晶３５として、ＴＮ（Twisted Nematic）型が採用されている。
【００７０】
レンズアレイ基板１８は、対向基板３３よりも表示面９側で対向基板３３に対向した状態で設けられており、表示面９側に向けられた外向面１８ａを有している。このレンズアレイ基板１８は、表示面９側に向かって凸となる複数のシリンドリカルレンズ１９を有する所謂レンチキュラレンズの構成を有している。複数のシリンドリカルレンズ１９は、レンズアレイ基板１８の外向面１８ａに設けられている。なお、図２では、構成をわかりやすく示すため、シリンドリカルレンズ１９が誇張され、且つシリンドリカルレンズ１９の個数が減じられている。
【００７１】
偏光板３９ａは、シャッタ電極基板３１よりも底面２７側に設けられている。
表示装置１では、偏光板３９ａ及び偏光板３９ｂは、偏光板３９ａにおける光の透過軸の方向と、偏光板３９ｂにおける光の透過軸の方向とが、平面視で互いに直交する方向に設定されている。また、偏光板３９ｃは、偏光板３９ｃにおける光の透過軸の方向が、平面視で偏光板３９ａにおける光の透過軸の方向に対して直交する方向に設定されている。これらの偏光板３９ａ，３９ｂ及び３９ｃは、それぞれ、透過軸の方向に偏光軸を有する光を透過させることができる。
【００７２】
なお、偏光板３９ｂと駆動素子基板２１との間や、バリア基板１３と偏光板３９ｃとの間に、光学補償フィルムを設けた構成も採用され得る。光学補償フィルムを設けることで、液晶２５を表示面９の法線方向から見たときや、法線方向から傾斜した方向から見たときなどの液晶２５の位相差を補償することができる。これにより、光漏れを低減することができ、コントラストの向上が図られる。
【００７３】
光学補償フィルムとしては、屈折率異方性が負のディスコティック液晶分子等をハイブリッド配向させた負の一軸性媒体（例えば、富士フィルム製のＷＶフィルム）などが採用され得る。また、屈折率異方性が正のネマチック液晶分子等をハイブリッド配向させた正の一軸性媒体（例えば、日本石油製のＮＨフィルム）なども採用され得る。さらに、負の一軸性媒体と正の一軸性媒体とを組み合わせた構成も採用され得る。その他、各方向の屈折率がｎｘ＞ｎｙ＞ｎｚとなる二軸性媒体や、負のＣ−Ｐｌａｔｅ等も採用され得る。
【００７４】
導光板４１は、方向制御パネル１５よりも底面２７側に設けられており、方向制御パネル１５の偏光板３９ａに対向する光射出面４５ｂを有している。
光源４３は、例えば、ＬＥＤ（Light Emitting Diode）や冷陰極管などが採用され、図２で見て導光板４１の側面４５ａの右方に設けられている。
【００７５】
光源４３からの光は、導光板４１の側面４５ａに入射される。導光板４１に入射された光は、導光板４１の中で反射しながら光射出面４５ｂから射出される。光射出面４５ｂから射出された光は、偏光板３９ａを介してシャッタパネル１７に入射される。なお、導光板４１には、必要に応じて、光射出面４５ｂに拡散板が設けられ、底面４５ｃに反射板が設けられる。
【００７６】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７ｒと、Ｇの光を射出する画素７ｇと、Ｂの光を射出する画素７ｂとを含んでいる。
【００７７】
ここで、Ｒの色は、純粋な赤の色相に限定されず、橙等を含む。Ｇの色は、純粋な緑の色相に限定されず、青緑や黄緑等を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００７８】
マトリクスＭでは、Ｙ方向に沿って並ぶ複数の画素７が、１つの画素列５１を構成している。また、Ｘ方向に沿って並ぶ複数の画素７が、１つの画素行５３を構成している。１つの画素列５１内の各画素７は、光の色がＲ、Ｇ及びＢのうちの１つに設定されている。つまり、マトリクスＭは、複数の画素７ｒがＹ方向に配列した画素列５１ｒと、複数の画素７ｇがＹ方向に配列した画素列５１ｇと、複数の画素７ｂがＹ方向に配列した画素列５１ｂとを有している。そして、マトリクスＭでは、画素列５１ｒ、画素列５１ｇ及び画素列５１ｂが、Ｘ方向に沿って反復して並んでいる。
【００７９】
また、表示装置１では、マトリクスＭを構成する複数の画素７は、図４に示すように、複数の第１の画素７1と、複数の第２の画素７2とにわけられている。表示装置１は、照明装置５から表示パネル３に入射された光を、複数の第１の画素７1から選択的に表示面９を介して表示パネル３の外に射出することで、表示面９に第１の画像を表示することができる。また、表示装置１は、照明装置５から表示パネル３に入射された光を、複数の第２の画素７2から選択的に表示面９を介して表示パネル３の外に射出することで、表示面９に第２の画像を表示することができる。
【００８０】
なお、第１の画像と第２の画像とは、互いに異なる画像であることと、互いに同じ画像であることとが問われない。また、以下においては、画素７という表記と、画素７ｒ、７ｇ及び７ｂという表記と、第１の画素７1及び第２の画素７2という表記とが、適宜、使いわけられる。また、第１の画素７1及び第２の画素７2のそれぞれに対してＲ、Ｇ及びＢが識別される場合、第１の画素７ｒ1，７ｇ1及び７ｂ1、並びに、第２の画素７ｒ2，７ｇ2及び７ｂ2という表記が用いられる。
【００８１】
表示装置１では、第１の画素７1と第２の画素７2とが、Ｘ方向に交互に並んでいる。１つの画素列５１は、複数の第１の画素７1又は複数の第２の画素７2によって構成されている。つまり、マトリクスＭは、複数の第１の画素７1がＹ方向に沿って配列した画素列５１1と、複数の第２の画素７2がＹ方向に沿って配列した画素列５１2とを有している。なお、以下においては、画素列５１という表記と、画素列５１ｒ、画素列５１ｇ及び画素列５１ｂという表記と、画素列５１1及び画素列５１2という表記とが、適宜、使いわけられる。また、画素列５１1及び画素列５１2のそれぞれに対してＲ、Ｇ及びＢが識別される場合、画素列５１ｒ1，５１ｇ1及び５１ｂ1、並びに、画素列５１ｒ2，５１ｇ2及び５１ｂ2という表記が用いられる。
【００８２】
表示装置１では、マトリクスＭを構成する複数の画素７は、Ｘ方向に隣り合う第１の画素７1及び第２の画素７2の２つの画素７ごとに、これらの２つの画素７を１組とする複数組の画素群５５にわけられている。各画素群５５での第１の画素７1及び第２の画素７2の並び順は、複数組の画素群５５間で統一している。本実施形態では、第１の画素７1と第２の画素７2とが、図４で見て、Ｘ方向に左側から右側に向かってこの順で並んでいる。なお、第１の画素７1及び第２の画素７2の並び順は、複数組の画素群５５間で統一していれば、いずれが左側でも右側でもよい。
マトリクスＭにおいて、複数組の画素群５５は、図５に示すように、Ｘ方向及びＹ方向のそれぞれの方向に沿って並んでいる。つまり、複数組の画素群５５は、マトリクス状に配列している。
【００８３】
ここで、表示パネル３の構成について、詳細を説明する。
液晶パネル１１の駆動素子基板２１は、図４中のＣ−Ｃ線における断面図である図６に示すように、第１基板６１を有している。第１基板６１は、例えばガラスや石英などの光透過性を有する材料で構成されており、表示面９側に向けられた第１面６３ａと、底面２７側に向けられた第２面６３ｂとを有している。
【００８４】
第１基板６１の第１面６３ａには、ゲート絶縁膜６５が設けられている。ゲート絶縁膜６５の表示面９側には、絶縁膜６７が設けられている。絶縁膜６７の表示面９側には、配向膜６９が設けられている。
また、駆動素子基板２１には、各画素７に対応して、スイッチング素子の１つであるＴＦＴ（Thin Film Transistor）素子７１と、画素電極７３とが、第１基板６１の第１面６３ａ側に設けられている。
ＴＦＴ素子７１は、ゲート電極７５と、半導体層７７と、ソース電極７９と、ドレイン電極８１とを有している。
【００８５】
ゲート電極７５は、第１基板６１の第１面６３ａに設けられており、ゲート絶縁膜６５によって表示面９側から覆われている。なお、ゲート電極７５の材料としては、例えば、モリブデン、タングステン、クロムなどの金属や、これらを含む合金などが採用され得る。また、ゲート絶縁膜６５の材料としては、例えば、酸化シリコンや窒化シリコンなどの光透過性を有する材料が採用され得る。
半導体層７７は、例えばアモルファスシリコンで構成されており、ゲート絶縁膜６５を挟んでゲート電極７５に対向する位置に設けられている。
【００８６】
ソース電極７９は、ゲート絶縁膜６５の表示面９側に設けられており、一部が半導体層７７に重なっている。ドレイン電極８１は、ゲート絶縁膜６５の表示面９側に設けられており、一部が半導体層７７に重なっている。なお、ソース電極７９やドレイン電極８１の材料としては、例えば、金、銀、銅、アルミニウムなどの金属や、これらを含む合金などが採用され得る。
上記の構成を有するＴＦＴ素子７１は、半導体層７７がゲート電極７５と、ソース電極７９及びドレイン電極８１との間に位置する所謂ボトムゲート型である。このＴＦＴ素子７１は、絶縁膜６７によって表示面９側から覆われている。なお、絶縁膜６７の材料としては、例えば、酸化シリコン、窒化シリコン、アクリル系の樹脂などの光透過性を有する材料が採用され得る。
【００８７】
画素電極７３は、絶縁膜６７の表示面９側に設けられている。画素電極７３は、例えばＩＴＯ（Indium Tin Oxide）やインジウム亜鉛酸化物等の光透過性を有する材料や、マグネシウムと銀とを含む合金等を薄膜化して光透過性を付与したものなどで構成され得る。画素電極７３は、絶縁膜６７に設けられたコンタクトホール８３を介してドレイン電極８１につながっている。
配向膜６９は、例えばポリイミドなどの光透過性を有する材料で構成されており、絶縁膜６７及び画素電極７３を表示面９側から覆っている。なお、配向膜６９には、配向処理が施されている。
【００８８】
対向基板２３は、第２基板８５を有している。第２基板８５は、例えばガラスや石英などの光透過性を有する材料で構成されており、表示面９側に向けられた外向面８６ａと、底面２７側に向けられた対向面８６ｂとを有している。
第２基板８５の対向面８６ｂには、各画素７を区画する光吸収層８７が領域８８にわたって設けられている。表示装置１では、各画素７は、光吸収層８７によって囲まれた領域であると定義され得る。光吸収層８７は、例えば、カーボンブラックやクロムなどの光吸収性が高い材料を含有する樹脂などで構成されており、平面視で格子状に設けられている。
【００８９】
また、第２基板８５の対向面８６ｂには、光吸収層８７によって囲まれた各領域、すなわち各画素７の領域を底面２７側から覆うカラーフィルタ８９が設けられている。
ここで、カラーフィルタ８９は、入射された光のうち所定の波長域の光を透過させることができる。カラーフィルタ８９は、画素７ｒ、画素７ｇ及び画素７ｂごとに異なる色に着色された樹脂などで構成されている。画素７ｒに対応するカラーフィルタ８９は、Ｒの光を透過させることができる。画素７ｇに対応するカラーフィルタ８９はＧの光を透過させ、画素７ｂに対応するカラーフィルタ８９はＢの光を透過させることができる。なお、以下において、各カラーフィルタ８９に対してＲ、Ｇ及びＢが識別される場合に、カラーフィルタ８９ｒ、８９ｇ及び８９ｂという表記が用いられる。
【００９０】
光吸収層８７及びカラーフィルタ８９の底面２７側には、オーバーコート層９１が設けられている。オーバーコート層９１は、光透過性を有する樹脂などで構成されており、光吸収層８７及びカラーフィルタ８９を底面２７側から覆っている。
オーバーコート層９１の底面２７側には、対向電極９３が設けられている。対向電極９３は、例えばＩＴＯやインジウム亜鉛酸化物等の光透過性を有する材料や、マグネシウムと銀とを含む合金等を薄膜化して光透過性を付与したものなどで構成され得る。
【００９１】
対向電極９３は、マトリクスＭを構成する複数の画素７間にわたって一連した状態で設けられている。つまり、対向電極９３は、マトリクスＭを構成する複数の画素７に平面視で重なる領域に設けられており、複数の画素７間にわたって共通して機能する。なお、対向電極９３は、図示しない共通線につながっている。
対向電極９３の底面２７側には、配向膜９５が設けられている。配向膜９５は、例えばポリイミドなどの光透過性を有する材料で構成されており、対向電極９３を底面２７側から覆っている。配向膜９５には、配向処理が施されている。
【００９２】
駆動素子基板２１及び対向基板２３の間に介在する液晶２５は、配向膜６９と配向膜９５との間に介在している。表示装置１では、図２に示すシール材２９は、図６に示す第１基板６１の第１面６３ａと、第２基板８５の対向面８６ｂとによって挟持されている。つまり、表示装置１では、液晶２５は、第１基板６１及び第２基板８５によって保持されている。なお、シール材２９は、配向膜６９及び配向膜９５の間に設けられていてもよい。この場合、液晶２５は、駆動素子基板２１及び対向基板２３に保持されているとみなされ得る。
【００９３】
バリア基板１３は、第３基板１０１を有している。第３基板１０１は、例えばガラスや石英などの光透過性を有する材料で構成されており、表示面９側に向けられた外向面１０２ａと、底面２７側に向けられた対向面１０２ｂとを有している。
第３基板１０１の対向面１０２ｂには、遮光膜１０３が設けられている。遮光膜１０３は、例えば、カーボンブラックなどを含有する樹脂や、クロムなどの光吸収性が高い材料で構成され得る。遮光膜１０３は、マトリクスＭを構成する複数の画素７間にわたって設けられている。つまり、遮光膜１０３は、マトリクスＭを構成する複数の画素７に平面視で重なる領域に設けられている。
【００９４】
遮光膜１０３の底面２７側には、オーバーコート層１０５が設けられている。オーバーコート層１０５は、例えばアクリル樹脂などの光透過性を有する材料で構成されており、遮光膜１０３を底面２７側から覆っている。
上記の構成を有するバリア基板１３は、対向面１０２ｂが第２基板８５の外向面８６ａに向けられた状態で、オーバーコート層１０５が外向面８６ａに、光透過性を有する接着剤１０７を介して貼り付けられている。
【００９５】
ここで、前述したＴＦＴ素子７１は、図６で見て左側の領域８８内に設けられており、ドレイン電極８１が領域８８内から画素７の領域内に延長されている。なお、各画素電極７３は、平面視で周縁部が領域８８内に及んでいる。
また、遮光膜１０３には、遮光膜１０３と画素群５５との平面図である図７に示すように、画素群５５ごとに開口部１０９が設けられている。この図７では、構成をわかりやすく示すため、遮光膜１０３にハッチングが施されている。
【００９６】
各開口部１０９は、図６中のＤ−Ｄ線における断面図である図８に示すように、各画素群５５を構成する第１の画素７1及び第２の画素７2に平面視で重なる領域に設けられている。なお、開口部１０９内には、オーバーコート層１０５が及んでいる。つまり、オーバーコート層１０５は、遮光膜１０３及び第３基板１０１の対向面１０２ｂを、底面２７側から覆っている。
【００９７】
駆動素子基板２１は、図８に示すように、複数のソース線Ｓを有している。複数のソース線Ｓは、ゲート絶縁膜６５上に設けられており、絶縁膜６７によって表示面９側から覆われている。
Ｙ方向に隣り合うＴＦＴ素子７１間において、ソース電極７９同士は、ＴＦＴ素子７１及び画素電極７３の配置を示す平面図である図９に示すように、ソース線Ｓを介してつながっている。また、Ｘ方向に隣り合うＴＦＴ素子７１間において、ゲート電極７５同士は、ゲート線Ｔを介してつながっている。図９では、構成をわかりやすく示すため、ゲート線Ｔ及び画素電極７３のそれぞれにハッチングが施されている。
【００９８】
ここで、ゲート電極７５は、Ｘ方向に沿って並ぶ複数の画素７間にわたって一連したゲート線Ｔとして設けられている。そして、画素７ごとにゲート線Ｔに対向する位置に半導体層７７が設けられている。各ゲート線Ｔにおいて、平面視で半導体層７７に重なる領域がゲート電極７５であると定義され得る。
なお、図６における駆動素子基板２１の断面は、図９中のＥ−Ｅ線における断面に相当している。
【００９９】
表示装置１では、駆動素子基板２１は、図１０に示すように、複数のゲート線Ｔと、複数のソース線Ｓとを有している。なお、以下において複数のゲート線Ｔ及び複数のソース線Ｓのそれぞれが識別される場合に、ゲート線Ｔ（ｎ）という表記と、ソース線Ｓ（ｍ）という表記とが用いられる。ｎ及びｍは、それぞれ、１以上の整数をとり得る変数である。
【０１００】
複数のゲート線Ｔ及び複数のソース線Ｓは、格子状に配線されている。複数のゲート線Ｔは、Ｙ方向に互いに間隔をあけた状態で、Ｘ方向に沿って延びている。複数のソース線Ｓは、Ｘ方向に互いに間隔をあけた状態で、Ｙ方向に沿って延びている。各画素７は、各ゲート線Ｔと各ソース線Ｓとの交差に対応して設定されている。
各ソース線Ｓは、Ｙ方向に沿って並ぶ複数の画素７すなわち各画素列５１に対応している。各ゲート線Ｔは、Ｘ方向に沿って並ぶ複数の画素７すなわち各画素行５３に対応している。
【０１０１】
ここで、方向制御パネル１５の構成について、詳細を説明する。
シャッタパネル１７のシャッタ電極基板３１は、図２中のＦ部の拡大図である図１１に示すように、第４基板１２１を有している。
第４基板１２１は、例えばガラスや石英などの光透過性を有する材料で構成されており、表示面９側に向けられた第１面１２２ａと、底面２７側に向けられた第２面１２２ｂとを有している。
第４基板１２１の第１面１２２ａには、シャッタ電極１２３と配向膜１２５とが設けられている。シャッタ電極１２３は、第４基板１２１の第１面１２２ａに設けられている。シャッタ電極１２３は、例えばＩＴＯやインジウム亜鉛酸化物等の光透過性を有する材料や、マグネシウムと銀とを含む合金等を薄膜化して光透過性を付与したものなどで構成され得る。
配向膜１２５は、例えばポリイミドなどの光透過性を有する材料で構成されており、シャッタ電極１２３を表示面９側から覆っている。
【０１０２】
シャッタパネル１７の対向基板３３は、第５基板１３１を有している。第５基板１３１は、例えばガラスや石英などの光透過性を有する材料で構成されており、表示面９側に向けられた外向面１３２ａと、底面２７側に向けられた対向面１３２ｂとを有している。
第５基板１３１の対向面１３２ｂには、共通電極１３３と配向膜１３５とが設けられている。共通電極１３３は、第５基板１３１の対向面１３２ｂに設けられている。共通電極１３３は、例えばＩＴＯやインジウム亜鉛酸化物等の光透過性を有する材料や、マグネシウムと銀とを含む合金等を薄膜化して光透過性を付与したものなどで構成され得る。
配向膜１３５は、例えばポリイミドなどの光透過性を有する材料で構成されており、共通電極１３３を底面２７側から覆っている。
なお、配向膜１２５及び配向膜１３５には、それぞれ配向処理が施されている。
【０１０３】
シャッタ電極基板３１及び対向基板３３の間に介在する液晶３５は、配向膜１２５と配向膜１３５との間に介在している。表示装置１では、図２に示すシール材３７は、図１１に示す第４基板１２１の第１面１２２ａと、第５基板１３１の対向面１３２ｂとによって挟持されている。つまり、表示装置１では、液晶３５は、第４基板１２１及び第５基板１３１によって保持されている。なお、シール材３７は、配向膜１２５及び配向膜１３５の間に設けられていてもよい。この場合、液晶３５は、シャッタ電極基板３１及び対向基板３３に保持されているとみなされ得る。
【０１０４】
レンズアレイ基板１８は、底面２７側に向けられた対向面１８ｂを有している。レンズアレイ基板１８は、例えばアクリル系の樹脂やエポキシ系の樹脂などの光透過性を有する材料で構成され得る。
レンズアレイ基板１８は、対向面１８ｂが第５基板１３１の外向面１３２ａに向けられた状態で、対向面１８ｂが外向面１３２ａに図示しない接着剤で接着されている。
ここで、シャッタ電極１２３は、各シリンドリカルレンズ１９に対応して、第１電極１２３ａと第２電極１２３ｂとに区分されている。第１電極１２３ａと第２電極１２３ｂとは、対応するシリンドリカルレンズ１９に対向した状態で設けられており、互いに独立している。
【０１０５】
表示装置１では、第１電極１２３ａと第２電極１２３ｂとが、平面図である図１２に示すように、Ｘ方向に交互に並んでいる。複数の第１電極１２３ａは、第１配線１３７ａを介して互いにつながっている。複数の第２電極１２３ｂは、第２配線１３７ｂを介して互いにつながっている。
また、第１電極１２３ａ及び第２電極１２３ｂは、それぞれ、Ｙ方向の長さが、画素列５１（図３）のＹ方向における長さ以上に設定されている。
【０１０６】
各シリンドリカルレンズ１９は、平面図である図１３に示すように、Ｙ方向に沿って延びる仮想線Ｌに対して角度θの傾きを有する方向に沿って延びている。これにより、複数の画素７の配列方向であるＹ方向と、各シリンドリカルレンズ１９が延びる方向とをずらすことができる。
ここで、光源４３からの光は、各シリンドリカルレンズ１９を透過するときに干渉を発生することがある。干渉した光が表示パネル３に入射されると、複数の画素７で再び干渉が発生して、表示パネル３に形成される画像に干渉縞が出現することがある。表示装置１では、各シリンドリカルレンズ１９が延びる方向がＹ方向からずれているので、表示パネル３の画像に干渉縞が出現することを低く抑えることができる。
【０１０７】
なお、各シリンドリカルレンズ１９は、Ｙ方向に配列する複数の画素７にわたる長さを有している。また、複数のシリンドリカルレンズ１９は、表示領域８にわたって、Ｘ方向に配列している。
【０１０８】
共通電極１３３は、表示領域８にわたって一連した状態で設けられている。上述したように、各シリンドリカルレンズ１９には第１電極１２３ａと第２電極１２３ｂとが対向し、且つ第１電極１２３ａと第２電極１２３ｂとがＸ方向に交互に並んでいる。従って、共通電極１３３は、Ｘ方向に交互に並ぶ複数の第１電極１２３ａ及び複数の第２電極１２３ｂ間にわたって共通して機能する。
【０１０９】
シャッタパネル１７では、図１１に示す各第１電極１２３ａと共通電極１３３との間、及び各第２電極１２３ｂと共通電極１３３との間のそれぞれに、独立して電界を発生させることができる。従って、各第１電極１２３ａと共通電極１３３とによって挟まれた液晶３５、及び各第２電極１２３ｂと共通電極１３３とによって挟まれた液晶３５のそれぞれの配向状態を独立して変化させることができる。これにより、光源４３から導光板４１を介してシャッタパネル１７に入射された光を、各第１電極１２３ａと共通電極１３３とによって挟まれた液晶３５、及び各第２電極１２３ｂと共通電極１３３とによって挟まれた液晶３５のそれぞれで変調することができる。この結果、表示装置１では、シャッタパネル１７を、導光板４１から液晶パネル１１に入射される光のシャッタとして機能させることができる。
【０１１０】
なお、表示装置１では、図１１に示すように、シャッタパネル１７において各第１電極１２３ａと共通電極１３３とが重なる領域が第１シャッタ１４１と呼ばれ、各第２電極１２３ｂと共通電極１３３とが重なる領域が第２シャッタ１４３と呼ばれる。また、各シリンドリカルレンズ１９に対応する第１シャッタ１４１と第２シャッタ１４３との組がシャッタ群１４５と呼ばれる。
【０１１１】
制御部６は、表示装置１のブロック図である図１４に示すように、光源制御部１５１と、シャッタ制御部１５３と、画像制御部１５５と、を有している。
光源制御部１５１は、光源４３への電力の供給と、電力の遮断とを制御する。
画像制御部１５５は、液晶パネル１１の各ゲート線Ｔ（ｎ）へのゲート信号の供給と、各ソース線Ｓ（ｍ）へのソース信号の供給とを制御する。
【０１１２】
シャッタ制御部１５３は、シャッタパネル１７のＯＮ状態とＯＦＦ状態との切り替えを、第１シャッタ１４１及び第２シャッタ１４３ごとに制御する。シャッタパネル１７のＯＮ状態とＯＦＦ状態との切り替えは、第１電極１２３ａ及び第２電極１２３ｂのそれぞれに対する駆動信号の供給を制御することにより行われる。
本実施形態では、シャッタ制御部１５３から第１電極１２３ａに駆動信号が供給されると、第１シャッタ１４１がＯＮ状態となる。シャッタ制御部１５３から第２電極１２３ｂに駆動信号が供給されると、第２シャッタ１４３がＯＮ状態となる。
なお、液晶パネル１１の対向電極９３及びシャッタパネル１７の共通電極１３３は、グランド電位に保たれる。
【０１１３】
上記の構成を有する表示装置１では、光源制御部１５１が光源４３に電力を供給することで照明装置５から表示パネル３に光を照射した状態で、液晶２５の配向状態を画素７ごとに変化させることにより、表示が制御される。液晶２５の配向状態は、ＴＦＴ素子７１のＯＦＦ状態及びＯＮ状態を切り替えることによって変化し得る。本実施形態では、ＴＦＴ素子７１がＯＮ状態のときに、画素電極７３及び対向電極９３間に電界が形成される。また、ＴＦＴ素子７１がＯＦＦ状態のときに、画素電極７３及び対向電極９３間の電界の発生が極めて低く抑えられる。
ここで、表示装置１では、照明装置５が方向制御パネル１５を有しているので、導光板４１から液晶パネル１１に入射される光の方向が制御される。
【０１１４】
図１５（ａ）は、シャッタパネル１７がＯＦＦ状態のときの方向制御パネル１５での偏光状態を示す図である。図１５（ｂ）は、シャッタパネル１７がＯＮ状態のときの方向制御パネル１５での偏光状態を示す図である。
表示装置１では、偏光板３９ａの透過軸の方向１６１ａは、図１５（ａ）及び図１５（ｂ）に示すように、偏光板３９ｂの透過軸の方向１６１ｂに平面視で直交している。配向膜１２５の配向方向１６３は、平面視で透過軸の方向１６１ｂに直交している。配向膜１３５の配向方向１６５は、平面視で透過軸の方向１６１ｂに沿っている。
なお、図１５（ａ）及び図１５（ｂ）において、Ｘ'方向及びＹ'方向は、Ｘ'方向が平面視で偏光板３９ａの透過軸の方向１６１ａに沿った方向を示し、Ｙ'方向がＸＹ平面内でＸ'方向に直交する方向を示している。Ｘ'方向及びＹ'方向は、ＸＹ平面内で互いに直交する任意の２方向である。
【０１１５】
光源４３から導光板４１を介して偏光板３９ａに入射された入射光は、偏光板３９ａの透過軸の方向１６１ａすなわちＸ'方向に沿った偏光軸を有する直線偏光１６７として液晶３５に入射される。
液晶３５に入射された直線偏光１６７は、シャッタパネル１７がＯＦＦ状態のときに、図１５（ａ）に示すように、液晶３５の旋光性によってＹ'方向に沿った偏光軸を有する直線偏光１６９として偏光板３９ｂに向けて射出される。偏光板３９ｂに向けて射出された直線偏光１６９は、偏光軸の方向が偏光板３９ｂの透過軸の方向１６１ｂに沿っているため、偏光板３９ｂを透過する。
【０１１６】
他方で、シャッタパネル１７がＯＮ状態のときに、直線偏光１６７は、図１５（ｂ）に示すように、偏光状態が維持されたまま直線偏光１７１として偏光板３９ｂに向けて射出される。偏光板３９ｂに向けて射出された直線偏光１７１は、偏光軸の方向が偏光板３９ｂの透過軸の方向１６１ｂに対して直交しているため、偏光板３９ｂによって吸収される。
【０１１７】
表示装置１では、光源４３から導光板４１を介して液晶パネル１１に向けて射出された光は、シャッタパネル１７がＯＮ状態のとき、シャッタパネル１７によって遮断される。また、光源４３から導光板４１を介して液晶パネル１１に向けて射出された光は、シャッタパネル１７がＯＦＦ状態のとき、シャッタパネル１７を通過することができる。つまり、シャッタパネル１７は、ＯＮ状態のときに、液晶パネル１１から表示面９側に向けて射出された光を遮断する遮断状態となる。また、シャッタパネル１７は、ＯＦＦ状態のときに、液晶パネル１１から表示面９側に向けて射出された光を通過させる通過状態となる。
【０１１８】
図１６（ａ）は、ＴＦＴ素子７１がＯＦＦ状態のときの表示パネル３での偏光状態を示す図である。図１６（ｂ）は、ＴＦＴ素子７１がＯＮ状態のときの表示パネル３での偏光状態を示す図である。
表示装置１では、偏光板３９ｃの透過軸の方向１６１ｃは、図１６（ａ）及び図１６（ｂ）に示すように、平面視で偏光板３９ｂの透過軸の方向１６１ｂに沿っている。配向膜６９の配向方向１７３は、平面視で透過軸の方向１６１ｂに沿っている。配向膜９５の配向方向１７５は、平面視で透過軸の方向１６１ｂに直交している。
【０１１９】
偏光板３９ｂを透過した直線偏光１６９は、液晶２５に入射される。
液晶２５に入射された直線偏光１６９は、ＴＦＴ素子７１がＯＦＦ状態のときに、図１６（ａ）に示すように、液晶２５の旋光性によってＸ'方向に沿った偏光軸を有する直線偏光１７７として偏光板３９ｃに向けて射出される。偏光板３９ｃに向けて射出された直線偏光１７７は、偏光軸の方向が偏光板３９ｃの透過軸の方向１６１ｃに対して直交しているため、偏光板３９ｃによって吸収される。
【０１２０】
他方で、ＴＦＴ素子７１がＯＮ状態のときに、直線偏光１６９は、図１６（ｂ）に示すように、偏光状態が維持されたまま直線偏光１７９として偏光板３９ｃに向けて射出される。偏光板３９ｃに向けて射出された直線偏光１７９は、偏光軸の方向が偏光板３９ｃの透過軸の方向１６１ｃに沿っているため、偏光板３９ｃを透過する。
【０１２１】
表示装置１では、ＴＦＴ素子７１がＯＮ状態のときに液晶パネル１１から表示面９側に光が射出され、ＴＦＴ素子７１がＯＦＦ状態のときに液晶パネル１１からの光の射出が遮断される所謂ノーマリブラック（初期的に“黒表示”の状態）の表示モードが採用されている。しかしながら、表示モードは、ノーマリブラックに限定されず、所謂ノーマリホワイト（初期的に“白表示”の状態）も採用され得る。
【０１２２】
ここで、表示装置１は、前述したように、画素群５５ごとに開口部１０９が設けられた遮光膜１０３を有している。照明装置５から各画素７に入射された光は、開口部１０９を介して表示面９に向けて射出される。
このとき、各第１の画素７1から表示面９側に向けて射出された光１８１ａは、液晶パネル１１及び遮光膜１０３を模式的に示す断面図である図１７に示すように、各開口部１０９を介して第１の範囲１８３（複数の第１の画素７1によって構成される画像の光が射出される範囲）に及ぶ。
また、各第２の画素７2から表示面９側に向けて射出された光１８１ｂは、各開口部１０９を介して第２の範囲１８５（複数の第２の画素７2によって構成される画像の光が射出される範囲）に及ぶ。なお、図１７に示す断面は、図６中のＤ−Ｄ線における断面に相当している。
【０１２３】
第１の範囲１８３からは、開口部１０９を介して第１の画素７1からの光１８１ａが視認され得る。第２の範囲１８５からは、開口部１０９を介して第２の画素７2からの光１８１ｂが視認され得る。第１の範囲１８３内に視点があれば、複数の第１の画素７1からの光１８１ａによって形成される第１の画像が視認され得る。第２の範囲１８５内に視点があれば、複数の第２の画素７2からの光１８１ｂによって形成される第２の画像が視認され得る。つまり、表示装置１では、第１の画像を第１の範囲１８３に表示し、第２の画像を、第１の範囲１８３とは異なる第２の範囲１８５に表示する所謂指向性表示を行うことができる。
【０１２４】
第１の範囲１８３及び第２の範囲１８５は、互いに重複する範囲１８７を有している。この範囲１８７からは、第１の画像と第２の画像とが重畳した状態で視認される。第１の範囲１８３から範囲１８７を除いた範囲１８９ａ（以下、適視範囲１８９ａと呼ぶ）からは、第１の画像だけが視認され得る。また、第２の範囲１８５から範囲１８７を除いた範囲１８９ｂ（以下、適視範囲１８９ｂと呼ぶ）からは、第２の画像だけが視認され得る。
【０１２５】
表示装置１は、複数の第１の画素７1から射出された光１８１ａが第１の範囲１８３の両端のそれぞれにおいて交差し、複数の第２の画素７2から射出された光１８１ｂが第２の範囲１８５の両端のそれぞれにおいて交差するように構成されている。これは、Ｘ方向に隣り合う開口部１０９同士間の間隔Ｐａを、Ｘ方向に隣り合う画素群５５同士間の間隔Ｐｂよりも短く設定することによって実現され得る。
これにより、適視範囲１８９ａ内にある任意の視点から視認される光の量を、複数の第１の画素７1間で同等にすることができる。同様に、適視範囲１８９ｂ内にある任意の視点から視認される光の量を、複数の第２の画素７2間で同等にすることができる。
【０１２６】
ここで、照明装置５から液晶パネル１１に照射される光は、方向制御パネル１５によって方向が制御される。
方向制御パネル１５は、前述したように、シャッタパネル１７よりも表示面９側に、レンズアレイ基板１８（図１１）を有している。レンズアレイ基板１８には、シャッタ群１４５ごとにシリンドリカルレンズ１９（図１１）が設けられている。
このため、導光板４１から方向制御パネル１５に入射された光は、シャッタパネル１７を経て各シリンドリカルレンズ１９から表示面９側に向けて射出される。
【０１２７】
シャッタパネル１７に入射された光のうちで第１シャッタ１４１を通る光１９１ａは、シャッタパネル１７及びレンズアレイ基板１８を模式的に示す断面図である図１８（ａ）に示すように、各シリンドリカルレンズ１９によって第１の範囲１８３側に屈折する。
シャッタパネル１７に入射された光のうちで第２シャッタ１４３を通る光１９１ｂは、図１８（ｂ）に示すように、各シリンドリカルレンズ１９によって第２の範囲１８５側に屈折する。
なお、図１８（ａ）及び図１８（ｂ）のそれぞれに示す断面は、図６中のＤ−Ｄ線における断面に相当している。
【０１２８】
このようにして、導光板４１から表示パネル３に向けて射出された光に指向性を付与することができる。指向性が付与された光は、表示パネル３を経て表示面９から外に射出した後にも指向性が維持される。
このため、第１シャッタ１４１を経て第１の範囲１８３側に向けて指向性が付与された光１９１ａは、図１９に示すように、液晶パネル１１を経て光１８１ａとして適視範囲１８９ａに及ぶ。このとき、第２シャッタ１４３を遮断状態にすれば、適視範囲１８９ｂには、光１９１ａが及ばない。
また、第２シャッタ１４３を経て第２の範囲１８５側に向けて指向性が付与された光１９１ｂは、図２０に示すように、液晶パネル１１を経て光１８１ｂとして適視範囲１８９ｂに及ぶ。このとき、第１シャッタ１４１を遮断状態にすれば、適視範囲１８９ａには、光１９１ｂが及ばない。
【０１２９】
ここで、表示装置１における表示方法について説明する。
表示装置１では、第１の範囲１８３への第１の画像の表示と、第２の範囲１８５への第２の画像の表示とが、１フレームずつ交互に行われる。
第１の画像の表示を行うフレームでは、図１４に示すシャッタ制御部１５３は、シャッタパネル１７の第２電極１２３ｂに駆動信号を供給する。これにより、第２シャッタ１４３がＯＮ状態すなわち遮断状態となる。このとき、第１電極１２３ａには駆動信号が供給されず、第１シャッタ１４１がＯＦＦ状態すなわち通過状態に保たれる。
これにより、導光板４１からの光は、第１の範囲１８３側に向けて指向性が付与される。他方で、第２の範囲１８５内の適視範囲１８９ｂには、導光板４１からの光が及ばない。
【０１３０】
第１シャッタ１４１が通過状態で、第２シャッタ１４３が遮断状態のときに、画像制御部１５５は、液晶パネル１１のゲート線Ｔ（１）から順次、各ゲート線Ｔにゲート信号を供給する。これにより、複数の画素７は、画素行５３単位でＴＦＴ素子７１が選択状態になる。
このとき、画像制御部１５５は、各ゲート線Ｔに順次ゲート信号を供給するたびに、各画素行５３に対応するソース信号をパラレル信号として、画素行５３単位で複数のソース線Ｓに供給する。
【０１３１】
ここで、各画素行５３に対応するソース信号（パラレル信号）には、ｍ／２個の第１の画素７1のそれぞれに対応する画像信号と、ｍ／２個の第２の画素７2のそれぞれに対応する休止信号と、が含まれている。なお、休止信号とは、ゲート及びソース間の電圧がＴＦＴ素子７１の閾値未満となる信号である。
【０１３２】
これにより、選択状態となった複数のＴＦＴ素子７１のうちで複数の第１の画素７1に対応するものは、画像信号に応じてＯＮ状態となり得る。このため、各第１の画素７1における液晶２５は、各画像信号に応じて駆動され得る。よって、このとき、各第１の画素７1では、“白表示”が行われ得る。
【０１３３】
他方で、選択状態となった複数のＴＦＴ素子７１のうちで複数の第２の画素７2に対応するものは、ＯＦＦ状態が維持される。
つまり、第１の画像が表示されるフレームにおいては、各第２の画素７2に対応するＴＦＴ素子７１がＯＦＦ状態であり、各第２の画素７2における液晶２５は初期的な配向状態を維持する。このため、第１の画像が表示されるフレームにおいては、各第２の画素７2における液晶２５が駆動されない。よって、このとき、各第２の画素７2では、“黒表示”が行われる。
上記のゲート信号の供給及びソース信号の供給をゲート線Ｔ（ｎ）まで反復して実施することにより、第１の画像の表示を行う１つのフレーム表示が行われる。
【０１３４】
第２の画像の表示を行うフレームでは、図１４に示すシャッタ制御部１５３は、シャッタパネル１７の第１電極１２３ａに駆動信号を供給する。これにより、第１シャッタ１４１がＯＮ状態すなわち遮断状態となる。このとき、第２電極１２３ｂには駆動信号が供給されず、第２シャッタ１４３がＯＦＦ状態すなわち通過状態に保たれる。
これにより、導光板４１からの光は、第２の範囲１８５側に向けて指向性が付与される。他方で、第１の範囲１８３内の適視範囲１８９ａには、導光板４１からの光が及ばない。
【０１３５】
第２シャッタ１４３が通過状態で、第１シャッタ１４１が遮断状態のときに、画像制御部１５５は、液晶パネル１１のゲート線Ｔ（１）から順次、各ゲート線Ｔにゲート信号を供給する。これにより、複数の画素７は、画素行５３単位でＴＦＴ素子７１が選択状態になる。
このとき、画像制御部１５５は、各ゲート線Ｔに順次ゲート信号を供給するたびに、各画素行５３に対応するソース信号をパラレル信号として、画素行５３単位で複数のソース線Ｓに供給する。
【０１３６】
各画素行５３に対応するソース信号（パラレル信号）には、ｍ／２個の第２の画素７2のそれぞれに対応する画像信号と、ｍ／２個の第１の画素７1のそれぞれに対応する休止信号と、が含まれている。
これにより、選択状態となった複数のＴＦＴ素子７１のうちで複数の第２の画素７2に対応するものは、画像信号に応じてＯＮ状態となり得る。このため、各第２の画素７2における液晶２５は、各画像信号に応じて駆動され得る。よって、このとき、各第２の画素７2では、“白表示”が行われ得る。
【０１３７】
他方で、選択状態となった複数のＴＦＴ素子７１のうちで複数の第１の画素７1に対応するものは、ＯＦＦ状態が維持される。
つまり、第２の画像が表示されるフレームにおいては、各第１の画素７1に対応するＴＦＴ素子７１がＯＦＦ状態であり、各第１の画素７1では、“黒表示”が行われる。
上記のゲート信号の供給及びソース信号の供給をゲート線Ｔ（ｎ）まで反復して実施することにより、第２の画像の表示を行う１つのフレーム表示が行われる。
表示装置１では、上記の処理を反復して実施することにより、第１の画像と第２の画像とが、１フレームずつ交互に表示され得る。
【０１３８】
なお、表示装置１では、同じフレームで第１の画像及び第２の画像の表示を行うことができる。この場合、図１４に示すシャッタ制御部１５３は、シャッタパネル１７の第１電極１２３ａ及び第２電極１２３ｂに駆動信号を供給しない。これにより、第１シャッタ１４１及び第２シャッタ１４３の双方がＯＦＦ状態すなわち通過状態に保たれる。この結果、導光板４１からの光は、適視範囲１８９ａ及び適視範囲１８９ｂの双方に及ぶ。
【０１３９】
このとき、画像制御部１５５が複数のソース線Ｓに画素行５３単位で供給するソース信号（パラレル信号）には、ｍ／２個の第１の画素７1のそれぞれに対応する画像信号と、ｍ／２個の第２の画素７2のそれぞれに対応する画像信号と、が含まれている。
これにより、複数の第２の画素７2に対応するＴＦＴ素子７１、及び複数の第１の画素７1に対応するＴＦＴ素子７１の双方が、画像信号に応じてＯＮ状態となり得る。よって、このとき、各第１の画素７1及び各第２の画素７2の双方において、“白表示”が行われ得る。各第１の画素７1及び各第２の画素７2の双方において、“白表示”が行われていても、遮光膜１０３の機能によって、適視範囲１８９ａでは第１の画像が視認され、適視範囲１８９ｂでは第２の画像が視認され得る。
【０１４０】
さらに、この場合、１つの画像に対応するソース信号（パラレル信号）を画素行５３単位で供給すれば、適視範囲１８９ａ及び適視範囲１８９ｂの双方から同じ画像を視認することができる。この場合、適視範囲１８９ａに第１の画像を表示し、適視範囲１８９ｂに第２の画像を表示する場合に比較して、表示の解像度を高めることができる。この結果、高精細な表示を提供することができる。
【０１４１】
第１実施形態において、遮光膜１０３が光学素子としての遮光膜に対応し、導光板４１が光射出部に対応し、第１シャッタ１４１が第１シャッタ部に対応し、第２シャッタ１４３が第２シャッタ部に対応している。また、シリンドリカルレンズ１９が第２光学素子としてのレンズに対応し、第１電極１２３ａ及び共通電極１３３の対が一対の電極に対応し、第２電極１２３ｂ及び共通電極１３３の対が一対の電極に対応し、液晶３５が液晶に対応している。
【０１４２】
第１実施形態における表示装置１では、液晶パネル１１の表示面９側に遮光膜１０３が設けられている。遮光膜１０３には、画素群５５ごとに開口部１０９が設けられている。開口部１０９は、各画素群５５において、第１の画素７1及び第２の画素７2間にまたがっている。
このため、第１の画素７1から表示面９側に向けて射出された光１８１ａは、開口部１０９を介して第１の範囲１８３に及ぶ（図１７）。また、第２の画素７2から表示面９側に向けて射出された光１８１ｂは、開口部１０９を介して第２の範囲１８５に及ぶ。これにより、表示装置１では、第１の画像を第１の範囲１８３に表示し、第２の画像を、第１の範囲１８３とは異なる第２の範囲１８５に表示する指向性表示を行うことができる。
【０１４３】
また、第１実施形態では、照明装置５が方向制御パネル１５を有している。方向制御パネル１５は、シャッタパネル１７と、レンズアレイ基板１８と、を有している。レンズアレイ基板１８には、複数のシリンドリカルレンズ１９が設けられている。シャッタパネル１７には、各シリンドリカルレンズ１９に対応して、第１シャッタ１４１及び第２シャッタ１４３が設けられている。
この構成により、第１シャッタ１４１を通った光１９１ａを第１の範囲１８３側に向けて照射することができる（図１８）。また、第２シャッタ１４３を通った光１９１ｂを第２の範囲１８５側に向けて照射することができる。これにより、照明装置５では、導光板４１から表示パネル３に向けて射出された光に指向性を付与することができる。
【０１４４】
また、第１実施形態では、指向性表示において、第１の画像と第２の画像とを１フレームごとに交互に表示する方法が採用されている。この方法によれば、複数の第１の画素７1が第１の画像を形成しているときに、複数の第２の画素７2に第２の画像の形成を休止させる。このため、第２の範囲１８５内の適視範囲１８９ｂからは、表示が視認されにくい。
また、複数の第２の画素７2が第２の画像を形成しているときに、複数の第１の画素７1に第１の画像の形成を休止させる。このため、第１の範囲１８３内の適視範囲１８９ａからは、表示が視認されにくい。
この結果、指向性表示において複数の画素７が相互に電気的な干渉を受けるクロストーク現象が発生しても、適視範囲１８９ａ及び適視範囲１８９ｂのそれぞれにおいて、表示品位の低下を視認しにくくすることができる。これにより、指向性表示における表示品位を向上させやすくすることができる。
【０１４５】
さらに、第１実施形態では、表示パネル３の底面２７側に照明装置５が設けられている。照明装置５は、複数の第１の画素７1が第１の画像を形成しているときに、第１の範囲１８３側に向けて光を照射する。また、照明装置５は、複数の第２の画素７2が第２の画像を形成しているときに、第２の範囲１８５側に向けて光を照射する。
この構成によれば、複数の第１の画素７1が第１の画像を形成していて複数の第２の画素７2が第２の画像の形成を休止しているときに、適視範囲１８９ｂに及ぶ光を低く抑えやすくすることができる。このため、適視範囲１８９ｂに照明装置５からの光が届きにくいので、適視範囲１８９ｂからは、表示が視認されにくい。
また、この構成によれば、複数の第２の画素７2が第２の画像を形成していて複数の第１の画素７1が第１の画像の形成を休止しているときに、適視範囲１８９ａに及ぶ光を低く抑えやすくすることができる。このため、適視範囲１８９ａに照明装置５からの光が届きにくいので、適視範囲１８９ａからは、表示が視認されにくい。
【０１４６】
この結果、指向性表示において複数の画素７が相互に電気的な干渉を受けるクロストーク現象が発生しても、適視範囲１８９ａ及び適視範囲１８９ｂのそれぞれにおいて、表示品位の低下を視認しにくくすることができる。これにより、指向性表示における表示品位を一層向上させやすくすることができる。
【０１４７】
また、第１実施形態では、液晶パネル１１にノーマリブラックの表示モードが採用されている。このため、第１の画像の形成を休止させると、複数の第１の画素７1が黒表示の状態になる。また、第２の画像の形成を休止させると、複数の第２の画素７2が黒表示の状態になる。このため、１フレームごとに画像の形成を休止させる場合、画像形成の休止に対応して、１フレームごとに黒表示が挿入される。これにより、ノーマリホワイトの表示モードに比較して、画像形成の休止を目立ちにくくすることができる。
【０１４８】
また、ノーマリブラックの表示モードでは、画像の形成を休止させるときに、液晶２５を駆動しなくてよい。このため、ノーマリホワイトの表示モードに比較して、第１の画像及び第２の画像のそれぞれの形成を休止させるときに、液晶２５の駆動にかかる電力を軽減することができる。
【０１４９】
第２実施形態について説明する。
第２実施形態における表示装置１００は、図２１に示すように、照明装置１０を有している。
表示装置１００は、第１実施形態における照明装置５が照明装置１０に替えられていることを除いては、第１実施形態における表示装置１と同様の構成を有している。従って、以下の第２実施形態では、重複した説明を避けるため、第１実施形態と同一の構成については、同一の符号を付して詳細な説明を省略し、第１実施形態と異なる点のみについて説明する。
【０１５０】
照明装置１０は、図２１中のＨ−Ｈ線における断面図である図２２に示すように、レンズアレイ基板１８と、有機ＥＬパネル２０と、を有している。有機ＥＬパネル２０は、レンズアレイ基板１８の底面２７側に設けられている。有機ＥＬパネル２０は、素子基板２０３と、封止基板２０５と、有機層２０７と、シール材２０９と、を有している。
素子基板２０３は、封止基板２０５よりも底面２７側で封止基板２０５に対向している。素子基板２０３には、表示面９側すなわち有機層２０７側に、後述する駆動電極などが設けられている。
【０１５１】
封止基板２０５は、素子基板２０３よりも表示面９側で素子基板２０３に対向し、且つ素子基板２０３との間に隙間を有した状態で設けられている。
有機層２０７は、素子基板２０３及び封止基板２０５の間に介在しており、有機ＥＬパネル２０の周縁よりも内側で表示領域８を囲むシール材２０９によって、素子基板２０３及び封止基板２０５の間に封止されている。
【０１５２】
ここで、有機ＥＬパネル２０の構成について、詳細を説明する。
有機ＥＬパネル２０の素子基板２０３は、図２２中のＪ部の拡大図である図２３に示すように、第６基板２１１を有している。
第６基板２１１は、例えばガラスや石英などの光透過性を有する材料で構成されており、表示面９側に向けられた第１面２１２ａと、底面２７側に向けられた第２面２１２ｂとを有している。
第６基板２１１の第１面２１２ａには、駆動電極２１３と、有機層２０７と、共通電極２１５と、が設けられている。
【０１５３】
駆動電極２１３は、第６基板２１１の第１面２１２ａに設けられている。駆動電極２１３は、各シリンドリカルレンズ１９に対応して、第１電極２１３ａと第２電極２１３ｂとに区分されている。駆動電極２１３は、例えばＩＴＯやインジウム亜鉛酸化物等の光透過性を有する材料や、マグネシウムと銀とを含む合金等を薄膜化して光透過性を付与したものなどで構成され得る。
有機層２０７は、図示しない発光層を有しており、発光層の他に種々の層を有する多層構造が採用され得る。多層構造としては、発光層の他にホール注入層やホール輸送層を有する多層構造や、これらの他に電子注入層や、電子輸送層などを有する多層構造など、種々の多層構造が採用され得る。
【０１５４】
共通電極２１５は、有機層２０７の表示面９側に設けられている。共通電極２１５は、表示領域８にわたって一連した状態で設けられている。このため、共通電極２１５は、各シリンドリカルレンズ１９に対応する第１電極２１３ａ及び第２電極２１３ｂに共通して機能する。共通電極２１５は、例えばＩＴＯやインジウム亜鉛酸化物等の光透過性を有する材料や、マグネシウムと銀とを含む合金等を薄膜化して光透過性を付与したものなどで構成され得る。
【０１５５】
封止基板２０５は、素子基板２０３よりも表示面９側で素子基板２０３に対向した状態で設けられている。封止基板２０５は、例えばガラスや石英などの光透過性を有する材料で構成されており、表示面９側に向けられた外向面２０６ａと、底面２７側に向けられた対向面２０６ｂとを有している。
素子基板２０３と封止基板２０５とは、接着剤２１６を介して接合されている。表示装置１００では、有機層２０７は、接着剤２１６によって表示面９側から覆われている。
また、素子基板２０３と封止基板２０５との間は、前述したシール材２０９（図２２）によって封止されている。つまり、表示装置１００では、有機層２０７と接着剤２１６とが、第６基板２１１及び封止基板２０５並びにシール材２０９によって封止されている。
【０１５６】
有機ＥＬパネル２０では、第１電極２１３ａと第２電極２１３ｂとが、平面図である図２４に示すように、Ｘ方向に交互に並んでいる。複数の第１電極２１３ａは、第１配線２１４ａを介して互いにつながっている。複数の第２電極２１３ｂは、第２配線２１４ｂを介して互いにつながっている。
また、第１電極２１３ａ及び第２電極２１３ｂは、それぞれ、Ｙ方向の長さが、画素列５１（図３）のＹ方向における長さ以上に設定されている。
【０１５７】
有機ＥＬパネル２０では、図２３に示す各第１電極２１３ａと共通電極２１５との間、及び各第２電極２１３ｂと共通電極２１５との間のそれぞれに、独立して電圧を印加することができる。従って、各第１電極２１３ａと共通電極２１５とによって挟まれた有機層２０７、及び各第２電極２１３ｂと共通電極２１５とによって挟まれた有機層２０７のそれぞれに独立して電流を発生させることができる。これにより、各第１電極２１３ａと共通電極２１５とによって挟まれた有機層２０７、及び各第２電極２１３ｂと共通電極２１５とによって挟まれた有機層２０７のそれぞれから光を射出させることができる。
【０１５８】
なお、表示装置１００では、図２３に示すように、有機ＥＬパネル２０において各第１電極２１３ａと共通電極２１５とが重なる領域が第１発光領域２１７と呼ばれ、各第２電極２１３ｂと共通電極２１５とが重なる領域が第２発光領域２１８と呼ばれる。また、各シリンドリカルレンズ１９に対応する第１発光領域２１７と第２発光領域２１８との組が発光領域群２１９と呼ばれる。
なお、有機ＥＬパネル２０では、駆動電極２１３と共通電極２１５との間に電圧を印加すると、有機層２０７における発光層から白色光が発せられる。
【０１５９】
白色光を発する発光層としては、Ｒの光を発する発光層と、Ｇの光を発する発光層と、Ｂの光を発する発光層とを積層した構成や、１つの発光層にＲ、Ｇ及びＢの各色の色素を添加した構成などが採用され得る。さらに色の組み合わせとしては、赤、緑、青の３波長成分を用いる方法の他、青及び橙、又は青緑及び赤の補色関係にある２波長成分を用いる方法などがある。
【０１６０】
制御部６は、表示装置１００のブロック図である図２５に示すように、画像制御部１５５と、発光制御部２２３と、を有している。
発光制御部２２３は、有機ＥＬパネル２０の発光状態と消灯状態との切り替えを、第１発光領域２１７及び第２発光領域２１８ごとに制御する。有機ＥＬパネル２０の発光状態と消灯状態との切り替えは、第１電極２１３ａ及び第２電極２１３ｂのそれぞれに対する駆動信号の供給を制御することにより行われる。
有機ＥＬパネル２０では、発光制御部２２３から第１電極２１３ａに駆動信号が供給されると、第１発光領域２１７が発光状態となる。発光制御部２２３から第２電極２１３ｂに駆動信号が供給されると、第２発光領域２１８が発光状態となる。
なお、有機ＥＬパネル２０の共通電極２１５は、グランド電位に保たれる。
【０１６１】
第１発光領域２１７が発光状態のとき、第１発光領域２１７からの光２２１ａは、有機ＥＬパネル２０及びレンズアレイ基板１８を模式的に示す断面図である図２６（ａ）に示すように、各シリンドリカルレンズ１９によって第１の範囲１８３側に屈折する。
他方で、第２発光領域２１８が発光状態のとき、第２発光領域２１８からの光２２１ｂは、図２６（ｂ）に示すように、各シリンドリカルレンズ１９によって第２の範囲１８５側に屈折する。
このようにして、有機ＥＬパネル２０から表示パネル３に向けて射出された光に指向性を付与することができる。
【０１６２】
第２実施形態において、第１発光領域２１７が第１発光部に対応し、第２発光領域２１８が第２発光部に対応し、シリンドリカルレンズ１９が第２光学素子としてのレンズに対応している。
第２実施形態における表示装置１００では、第１実施形態における表示装置１と同様の効果が得られる。
【０１６３】
さらに、表示装置１００では、表示装置１におけるシャッタパネル１７、偏光板３９ａ、導光板４１及び光源４３に替えて有機ＥＬパネル２０を有する構成が採用されているので、表示装置１００の薄型化や小型化などを図りやすくすることができる。
【０１６４】
なお、表示装置１及び表示装置１００では、それぞれ、複数のシリンドリカルレンズ１９を有する構成が採用されているが、シリンドリカルレンズ１９の個数はこれに限定されず、１以上の任意の個数が採用され得る。複数のシリンドリカルレンズ１９を有する構成では、導光板４１や有機ＥＬパネル２０からの光を細分化できる点で好ましい。
さらに、各シリンドリカルレンズ１９をＸ方向に隣り合う画素群５５同士間に対応させる構成とすれば、複数の第１の画素７1に対して、各シリンドリカルレンズ１９を画素列５１1（図４）単位で対応させることができる。また、この構成では、複数の第２の画素７2に対して、各シリンドリカルレンズ１９を画素列５１2（図４）単位で対応させることができる。この構成により、各画素７における輝度を、複数の画素７間で同等にしやすくすることができ、指向性表示における表示品位の一層の向上が図られる。
【０１６５】
また、表示装置１及び表示装置１００では、それぞれ、シリンドリカルレンズ１９を有する構成が採用されているが、構成はこれに限定されず、図２７に示すように、シリンドリカルレンズ１９に替えてプリズム２２５を有する構成も採用され得る。この構成では、各プリズム２２５は、底面２７側に向かって凸となる向きに設けられている。
方向制御パネル１５においては、各プリズム２２５は、各シャッタ群１４５（図１１）に対応して設けられている。また、照明装置１０においては、各プリズム２２５は、各発光領域群２１９（図２３）に対応して設けられている。
プリズム２２５が採用された構成においても、導光板４１からの光や、有機ＥＬパネル２０からの光に指向性を付与することができる。
【０１６６】
第３実施形態について説明する。
第３実施形態における表示装置１０００は、図２８に示すように、照明装置３０を有している。
表示装置１０００は、第１実施形態における照明装置５が照明装置３０に替えられていることを除いては、第１実施形態における表示装置１と同様の構成を有している。従って、以下の第３実施形態では、重複した説明を避けるため、第１実施形態と同一の構成については、同一の符号を付して詳細な説明を省略し、第１実施形態と異なる点のみについて説明する。
【０１６７】
照明装置３０は、図２８中のＱ−Ｑ線における断面図である図２９に示すように、プリズム基板４０と、第１光源４３ａと、第２光源４３ｂと、導光板５０と、を有している。
プリズム基板４０は、表示パネル３よりも底面２７側に設けられており、複数のプリズム２３１を有している。各プリズム２３１は、底面２７側に向かって凸となる向きに設けられている。
【０１６８】
導光板５０は、プリズム基板４０よりも底面２７側に設けられており、プリズム基板４０を挟んで偏光板３９ｂに対向する光射出面２３３ａと、底面２３３ｂと、を有している。また、導光板５０は、側面２３５ａと、側面２３５ｂと、を有している。側面２３５ａ及び側面２３５ｂは、Ｘ方向に互いに対峙している。
導光板５０は、第１導光板２３７ａと、第２導光板２３７ｂと、を有している。第１導光板２３７ａ及び第２導光板２３７ｂは、低屈折率層２３９を介して互いに重なっている。低屈折率層２３９は、例えば空気などの低屈折率を有する媒体で構成されている。
【０１６９】
第１光源４３ａは、導光板５０の側面２３５ａに対向する位置に設けられている。第２光源４３ｂは、導光板５０の側面２３５ｂに対向する位置に設けられている。第１光源４３ａ及び第２光源４３ｂは、導光板５０を挟んでＸ方向に互いに対峙している。第１光源４３ａ及び第２光源４３ｂは、それぞれ、例えば、ＬＥＤや冷陰極管などが採用され得る。
【０１７０】
第１光源４３ａからの光は、第１導光板２３７ａの側面２３５ａに入射される。第２光源４３ｂからの光は、第２導光板２３７ｂの側面２３５ｂに入射される。第１光源４３ａ及び第２光源４３ｂのそれぞれから導光板５０に入射された光は、導光板５０の中で反射したり、屈折したりしながら光射出面２３３ａから射出される。光射出面２３３ａから射出された光は、プリズム基板４０に入射される。なお、導光板５０には、底面２３３ｂに反射板が設けられている。
【０１７１】
制御部６は、表示装置１０００のブロック図である図３０に示すように、画像制御部１５５と、光源制御部２４１と、を有している。
光源制御部２４１は、第１光源４３ａ及び第２光源４３ｂのそれぞれへの電力の供給と、電力の遮断とを制御する。
表示装置１０００では、複数の第１の画素７1に第１の画像を形成させているとき、光源制御部２４１は、第１光源４３ａに電力を供給し、第２光源４３ｂへの電力の供給を停止する。また、複数の第２の画素７2に第２の画像を形成させているとき、光源制御部２４１は、第２光源４３ｂに電力を供給し、第１光源４３ａへの電力の供給を停止する。
【０１７２】
第１光源４３ａに電力が供給され、第１光源４３ａが点灯状態のとき、第１光源４３ａからの光２４３ａは、図２９中のＶ部の拡大図である図３１に示すように、光射出面２３３ａから射出される。光射出面２３３ａから射出された光２４３ａは、プリズム２３１によって屈折して、プリズム基板４０から第１の範囲１８３側に向かって射出され得る。
第１光源４３ａからの光２４３ａは、導光板５０内で全反射したり、低屈折率層２３９で屈折したりしながら傾向的に第１の範囲１８３側に向かっていく。このように、導光板５０及びプリズム基板４０の作用により、第１光源４３ａからの光２４３ａに第１の範囲１８３側に向かう指向性が付与され得る。
【０１７３】
同様に、第２光源４３ｂに電力が供給され、第２光源４３ｂが点灯状態のとき、第２光源４３ｂからの光２４３ｂは、図２９中のＶ部の拡大図である図３２に示すように、導光板５０を経てプリズム基板４０から第２の範囲１８５側に向かって射出され得る。導光板５０及びプリズム基板４０の作用により、第２光源４３ｂからの光２４３ｂに第２の範囲１８５側に向かう指向性が付与され得る。
【０１７４】
第３実施形態において、導光板５０が光射出部に対応し、プリズム２３１が第２光学素子としてのプリズムに対応している。
第３実施形態における表示装置１０００においても、第１実施形態における表示装置１や、第２実施形態における表示装置１００と同様の効果が得られる。
【０１７５】
なお、表示装置１、表示装置１００及び表示装置１０００では、それぞれ、遮光膜１０３の開口部１０９が、画素群５５ごとに設けられている場合を例に説明したが、遮光膜１０３の構成はこれに限定されない。遮光膜１０３は、平面図である図３３に示すように、Ｘ方向に隣り合う画素群５５同士間のそれぞれに対応して、且つＹ方向に並ぶ複数組の画素群５５間にわたって遮光膜１０３を設けた構成が採用され得る。この場合、各開口部１０９は、Ｙ方向に並ぶ複数の画素群５５間にわたって設けられる。
【０１７６】
また、表示装置１、表示装置１００及び表示装置１０００では、それぞれ、複数組の画素群５５が、図５に示すように、Ｘ方向及びＹ方向のそれぞれの方向に沿ってマトリクス状に配列した場合を例に説明したが、複数組の画素群５５の配列はこれに限定されない。複数組の画素群５５の配列は、例えば、図３４に示すように、Ｙ方向にジグザグに並んだ配列も採用され得る。図３４に示す配列の場合、図４に示す第１の画素７1と第２の画素７2とは、Ｘ方向に交互に並んでいるとともに、Ｙ方向にも交互に並んでいる。
この場合、表示装置１、表示装置１００及び表示装置１０００では、それぞれ、遮光膜１０３の各開口部１０９は、図３５に示すように、画素群５５ごとに設けられる。
【０１７７】
表示装置１において、複数組の画素群５５がＹ方向にジグザグに並んだ構成では、シャッタパネル１７の第１電極１２３ａと第２電極１２３ｂとは、図３６に示すように、Ｘ方向に交互に並んでいるとともに、Ｙ方向にも交互に並んでいる。そして、Ｘ方向における第１電極１２３ａと第２電極１２３ｂとの並び順は、複数の画素７間で統一されている。
複数の第１電極１２３ａ及び複数の第２電極１２３ｂは、それぞれＹ方向に対してジグザグに並んでいる。このため、シャッタパネル１７では、複数の第１シャッタ１４１及び複数の第２シャッタ１４３が、それぞれ平面視でＹ方向に対してジグザグに並んでいる。
複数の第１電極１２３ａは、第１配線１３７ａを介して互いにつながっている。複数の第２電極１２３ｂは、第２配線１３７ｂを介して互いにつながっている。これにより、複数の第１シャッタ１４１と、複数の第２シャッタ１４３とが互いに独立して駆動され得る。
【０１７８】
同様に、表示装置１００において、複数組の画素群５５がＹ方向にジグザグに並んだ構成では、有機ＥＬパネル２０の第１電極２１３ａと第２電極２１３ｂとは、図３６に示すように、Ｘ方向に交互に並んでいるとともに、Ｙ方向にも交互に並んでいる。そして、Ｘ方向における第１電極２１３ａと第２電極２１３ｂとの並び順は、複数の画素７間で統一されている。
複数の第１電極２１３ａ及び複数の第２電極２１３ｂは、それぞれＹ方向に対してジグザグに並んでいる。このため、有機ＥＬパネル２０では、複数の第１発光領域２１７及び複数の第２発光領域２１８が、それぞれ平面視でＹ方向に対してジグザグに並んでいる。
複数の第１電極２１３ａは、第１配線２１４ａを介して互いにつながっている。複数の第２電極２１３ｂは、第２配線２１４ｂを介して互いにつながっている。これにより、複数の第１発光領域２１７と、複数の第２発光領域２１８とが互いに独立して駆動され得る。
【０１７９】
また、表示装置１、表示装置１００及び表示装置１０００では、それぞれ、バリア基板１３を有する構成が採用されているが、構成はこれに限定されず、バリア基板１３に替えてレンチキュラレンズを有する構成も採用され得る。
【０１８０】
また、表示装置１、表示装置１００及び表示装置１０００では、それぞれ、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
また、表示装置１における液晶３５も同様に、ＴＮ型に限定されず、ＦＦＳ型、ＩＰＳ型、ＶＡ型等の種々の型が採用され得る。
【０１８１】
上述した表示装置１、表示装置１００及び表示装置１０００は、それぞれ、例えば、図３７に示す電子機器５００の表示部５１０に適用され得る。この電子機器５００は、カーナビゲーションシステム用の表示機器である。電子機器５００では、表示装置１、表示装置１００又は表示装置１０００が適用された表示部５１０によって、例えば、運転席側から第１の画像として地図などの画像が視認され、助手席側から第２の画像として映画などの画像が視認され得る。
また、表示部５１０として表示装置１、表示装置１００又は表示装置１０００が適用されているので、指向性表示における第１の画像及び第２の画像のそれぞれの表示における表示品位を向上させやすくすることができる。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【０１８２】
【図１】第１実施形態における表示装置の主要構成を示す分解斜視図。
【図２】図１中のＡ−Ａ線における断面図。
【図３】実施形態における複数の画素の一部を示す平面図。
【図４】実施形態における複数の画素の一部を示す平面図。
【図５】実施形態における複数組の画素群の配列を説明する平面図。
【図６】図４中のＣ−Ｃ線における断面図。
【図７】実施形態における遮光膜と画素群とを示す平面図。
【図８】図６中のＤ−Ｄ線における断面図。
【図９】実施形態におけるＴＦＴ素子及び画素電極の配置を示す平面図。
【図１０】実施形態における駆動素子基板の等価回路図。
【図１１】図２中のＦ部の拡大図。
【図１２】第１実施形態におけるシャッタ電極を示す平面図。
【図１３】実施形態におけるレンズアレイ基板の一部を示す平面図。
【図１４】第１実施形態における表示装置の主要構成を示すブロック図。
【図１５】第１実施形態における方向制御パネルでの偏光状態を説明する図。
【図１６】実施形態における表示パネルでの偏光状態を説明する図。
【図１７】実施形態における液晶パネル及び遮光膜を模式的に示す断面図。
【図１８】第１実施形態におけるシャッタパネル及びレンズアレイ基板を模式的に示す断面図。
【図１９】第１実施形態における液晶パネル及び遮光膜並びにシャッタパネル及びレンズアレイ基板を模式的に示す断面図。
【図２０】第１実施形態における液晶パネル及び遮光膜並びにシャッタパネル及びレンズアレイ基板を模式的に示す断面図。
【図２１】第２実施形態における表示装置の主要構成を示す分解斜視図。
【図２２】図２１中のＨ−Ｈ線における断面図。
【図２３】図２２中のＪ部の拡大図。
【図２４】第２実施形態における駆動電極を示す平面図。
【図２５】第２実施形態における表示装置の主要構成を示すブロック図。
【図２６】第２実施形態における有機ＥＬパネル及びレンズアレイ基板を模式的に示す断面図。
【図２７】第１実施形態及び第２実施形態のそれぞれにおける他の構成例を模式的に示す断面図。
【図２８】第３実施形態における表示装置の主要構成を示す分解斜視図。
【図２９】図２８中のＱ−Ｑ線における断面図。
【図３０】第３実施形態における表示装置の主要構成を示すブロック図。
【図３１】図２９中のＶ部の拡大図。
【図３２】図２９中のＶ部の拡大図。
【図３３】実施形態における遮光膜の他の構成例を示す平面図。
【図３４】実施形態における複数組の画素群の配列の他の例を示す平面図。
【図３５】実施形態における遮光膜の別の構成例を示す平面図。
【図３６】第１実施形態及び第２実施形態のそれぞれにおける表示装置の他の例における第１電極及び第２電極の配置を示す平面図。
【図３７】実施形態における表示装置を適用した電子機器の斜視図。
【符号の説明】
【０１８３】
１…表示装置、３…表示パネル、５…照明装置、６…制御部、７…画素、７1…第１の画素、７2…第２の画素、９…表示面、１０…照明装置、１１…液晶パネル、１３…バリア基板、１５…方向制御パネル、１７…シャッタパネル、１８…レンズアレイ基板、１９…シリンドリカルレンズ、２０…有機ＥＬパネル、２１…駆動素子基板、２３…対向基板、２５…液晶、２７…底面、３０…照明装置、３１…シャッタ電極基板、３３…対向基板、３５…液晶、４０…プリズム基板、４１…導光板、４３…光源、４３ａ…第１光源、４３ｂ…第２光源、４５ｂ…光射出面、５０…導光板、６１…第１基板、８５…第２基板、１０１…第３基板、１０３…遮光膜、１０９…開口部、１２１…第４基板、１２３…シャッタ電極、１２３ａ…第１電極、１２３ｂ…第２電極、１２５…配向膜、１３１…第５基板、１３３…共通電極、１３５…配向膜、１３７ａ…第１配線、１３７ｂ…第２配線、１４１…第１シャッタ、１４３…第２シャッタ、１４５…シャッタ群、１５３…シャッタ制御部、１５５…画像制御部、１８１ａ，１８１ｂ…光、１８３…第１の範囲、１８５…第２の範囲、１８７…範囲、１８９ａ，１８９ｂ…適視範囲、１９１ａ，１９１ｂ…光、２０３…素子基板、２０５…封止基板、２０７…有機層、２１１…第６基板、２１３…駆動電極、２１３ａ…第１電極、２１３ｂ…第２電極、２１４ａ…第１配線、２１４ｂ…第２配線、２１５…共通電極、２１７…第１発光領域、２１８…第２発光領域、２１９…発光領域群、２２１ａ，２２１ｂ…光、２２３…発光制御部、２２５…プリズム、２３１…プリズム、２３７ａ…第１導光板、２３７ｂ…第２導光板、２３３ａ…光射出面、２３５ａ…側面、２３５ｂ…側面、２３９…低屈折率層、２４１…光源制御部、２４３ａ，２４３ｂ…光、５００…電子機器、５１０…表示部、Ｍ…マトリクス、Ｓ…ソース線、Ｔ…ゲート線。
【図１】
2010026356.tif 000003
【図２】
2010026356.tif 000004
【図３】
2010026356.tif 000005
【図４】
2010026356.tif 000006
【図５】
2010026356.tif 000007
【図６】
2010026356.tif 000008
【図７】
2010026356.tif 000009
【図８】
2010026356.tif 000010
【図９】
2010026356.tif 000011
【図１０】
2010026356.tif 000012
【図１１】
2010026356.tif 000013
【図１２】
2010026356.tif 000014
【図１３】
2010026356.tif 000015
【図１４】
2010026356.tif 000016
【図１５】
2010026356.tif 000017
【図１６】
2010026356.tif 000018
【図１７】
2010026356.tif 000019
【図１８】
2010026356.tif 000020
【図１９】
2010026356.tif 000021
【図２０】
2010026356.tif 000022
【図２１】
2010026356.tif 000023
【図２２】
2010026356.tif 000024
【図２３】
2010026356.tif 000025
【図２４】
2010026356.tif 000026
【図２５】
2010026356.tif 000027
【図２６】
2010026356.tif 000028
【図２７】
2010026356.tif 000029
【図２８】
2010026356.tif 000030
【図２９】
2010026356.tif 000031
【図３０】
2010026356.tif 000032
【図３１】
2010026356.tif 000033
【図３２】
2010026356.tif 000034
【図３３】
2010026356.tif 000035
【図３４】
2010026356.tif 000036
【図３５】
2010026356.tif 000037
【図３６】
2010026356.tif 000038
【図３７】
2010026356.tif 000039